(57)【要約】  本発明の実施形態は、データが破損しているかどうかを判断するための方法および装置を開示する。当該方法は、端末は、再送信をスケジューリングするためのダウンリンク制御チャネルを受信するステップと、端末は、ダウンリンク制御チャネルに基づいて、ダウンリンク制御チャネルによってスケジューリングされた再送信されたデータパケットの、Ｎ回送信されたデータの中に破損データがあるかどうかを判断するステップとを備え、前記Ｎは１以上の整数である。従って、端末が、再送信をスケジューリングするためのダウンリンク制御チャネルを受信し、ダウンリンク制御チャネルに基づいてダウンリンク制御チャネルによってスケジューリングされた再送信されたデータパケットの、Ｎ回送信されたデータの中に破損データがあるかどうかを判断することにより、伝送性能を改善する。
2020519178.tif 000002
【特許請求の範囲】
【請求項１】
端末は、基地局から再送信をスケジューリングするためのダウンリンク制御チャネルを受信し、
前記端末は、前記ダウンリンク制御チャネルに基づいて、前記ダウンリンク制御チャネルによってスケジューリングされた再送信されたデータパケットの、Ｎ回送信されたデータの中に破損データがあるかどうかを判断し、前記Ｎは１以上の整数であることを特徴とするデータが破損しているかどうかを判断するための方法。
【請求項２】
前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示すことを特徴とする請求項１に記載のデータが破損しているかどうかを判断するための方法。
【請求項３】
前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効であることを特徴とする請求項２に記載のデータが破損しているかどうかを判断するための方法。
【請求項４】
前記端末は、以下のように、前記ダウンリンク制御チャネルが再送信をスケジューリングするためのダウンリンク制御チャネルであるかどうかを判断する：
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定することを特徴とする請求項１または請求項２に記載のデータが破損しているかどうかを判断するための方法。
【請求項５】
前記端末は、前記ダウンリンク制御チャネルに基づいて、以下の少なくとも１つの方式で、前記ダウンリンク制御チャネルによってスケジューリングされた再送信されたデータパケットの、Ｎ回送信されたデータの中に破損データがあるかどうかを判断する：
方式１：前記端末が、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを受信すると、前記端末は、前記ダウンリンク制御チャネルによってスケジューリングされた再送信されたデータパケットのＮ回の送信されたデータの中に破損されたデータがあると、判断し、
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
方式４：前記端末は、前記ダウンリンク制御チャネルによってスケジューリングされた共有チャネルを受信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示すことを特徴とする請求項１または請求項２に記載のデータが破損しているかどうかを判断するための方法。
【請求項６】
前記方式１または前記方式２で前記ダウンリンク制御チャネルによってスケジューリングされた再送信されたデータパケットのＮ回の送信されたデータの中に破損されたデータがあると決定する場合、さらに、前記ダウンリンク制御チャネルに前記第１の指示フィールドが含まれると、前記端末は、前記ダウンリンク制御チャネル内の前記第１の指示フィールドによって示される再送信されたＣＢＧのＮ回の送信されたデータの中に破損されたデータがあると決定することを特徴とする請求項５に記載のデータが破損しているかどうかを判断するための方法。
【請求項７】
前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効であることを特徴とする請求項５に記載のデータが破損しているかどうかを判断するための方法。
【請求項８】
前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示すことを特徴とする請求項５に記載のデータが破損しているかどうかを判断するための方法。
【請求項９】
前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送されることを特徴とする請求項５に記載のデータが破損しているかどうかを判断するための方法。
【請求項１０】
前記方式４を使用する場合、前記端末が前記第３の指示フィールドを取得する前、さらに、
前記端末は、次のように、前記第３の指示フィールドの有無を判断する：
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、
前記端末が前記第３の指示フィールド有と決定すると、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示すことを特徴とする請求項５に記載のデータが破損しているかどうかを判断するための方法。
【請求項１１】
前記端末が破損されたデータがあると判断した場合、前記端末は、保存された前記再送信しようとするデータパケットのＮ回の送信されたデータ中の破損されたデータをクリアし、または前記再送信されたデータパケット内の対応のデータで前記再送信しようとするデータパケットのＮ回の送信されたデータ中の破損されたデータをカバーすることを特徴とする請求項１から請求項１０のいずれか一項に記載のデータが破損しているかどうかを判断するための方法。
【請求項１２】
基地局は、端末に再送信をスケジューリングするためのダウンリンク制御チャネルを送信するステップと、
前記基地局は、前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知するステップと、を備え、
前記Ｎは１以上の整数であることを特徴とするデータが破損しているかどうかを判断するための方法。
【請求項１３】
前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示すことを特徴とする請求項１２に記載のデータが破損しているかどうかを判断するための方法。
【請求項１４】
前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効であることを特徴とする請求項１３に記載のデータが破損しているかどうかを判断するための方法。
【請求項１５】
前記ダウンリンク制御チャネルが再送信をスケジューリングするためのダウンリンク制御チャネルであるかどうかを判断する場合、
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定することを特徴とする請求項１２または請求項１３に記載のデータが破損しているかどうかを判断するための方法。
【請求項１６】
前記基地局は、次の方式のうちの少なくとも１つで、前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知する：
方式１：前記基地局が、前記ダウンリンク制御チャネルによってスケジューリングされた再送信されたデータパケットのＮ回の送信されたデータに対するＡＣＫ/ＮＡＣＫ情報を、フィードバックする前、前記ダウンリンク制御チャネルを送信したとき、前記端末に、前記ダウンリンク制御チャネルによってスケジューリングされた再送信されたデータパケットのＮ回の送信されたデータの中に破損されたデータがあると決定したことを通知し、
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
方式４：前記基地局は、前記ダウンリンク制御チャネルによってスケジューリングされた共有チャネルを送信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示すことを特徴とする請求項１２または請求項１３に記載のデータが破損しているかどうかを判断するための方法。
【請求項１７】
前記方式１または前記方式２で前記ダウンリンク制御チャネルによってスケジューリングされた再送信されたデータパケットのＮ回の送信されたデータの中に破損されたデータがあると決定する場合、さらに、前記ダウンリンク制御チャネルに前記第１の指示フィールドが含まれると、前記端末に、前記ダウンリンク制御チャネル内の前記第１の指示フィールドによって示される再送信されたＣＢＧのＮ回の送信されたデータの中に破損されたデータがあると決定したことを通知することを特徴とする請求項１６に記載のデータが破損しているかどうかを判断するための方法。
【請求項１８】
前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効であることを特徴とする請求項１６に記載のデータが破損しているかどうかを判断するための方法。
【請求項１９】
前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示すことを特徴とする請求項１６に記載のデータが破損しているかどうかを判断するための方法。
【請求項２０】
前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送されることを特徴とする請求項１６に記載のデータが破損しているかどうかを判断するための方法。
【請求項２１】
前記方式４を使用する場合、前記基地局が前記第３の指示フィールドを生成する前に、さらに、
前記基地局は、次のように、前記第３の指示フィールドの有無を判断する：
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、前記基地局は、前記第３の指示フィールドの有無を判断して、前記第４の指示フィールドにより端末に通知し、
前記基地局に前記第３の指示フィールドがあれば、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示し、前記基地局は、前記第３の指示フィールドにより多くのビットの指示情報が含まれるかどうかを決定して、前記１ビットの指示情報により端末に通知することを特徴とする請求項１６に記載のデータが破損しているかどうかを判断するための方法。
【請求項２２】
基地局からの、再送信をスケジューリングするためのダウンリンク制御チャネルを受信するための受信ユニットと、
前記ダウンリンク制御チャネルに基づいて、前記ダウンリンク制御チャネルによってスケジューリングされた再送信されたデータパケットの、Ｎ回送信されたデータの中に破損データがあるかどうかを判断するための処理ユニットと、を備え、
前記Ｎは１以上の整数であることを特徴とする端末。
【請求項２３】
前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示すことを特徴とする請求項２２に記載の端末。
【請求項２４】
前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効であることを特徴とする請求項２３に記載の端末。
【請求項２５】
前記処理ユニットは、
次のように、前記ダウンリンク制御チャネルが再送信をスケジューリングするためのダウンリンク制御チャネルであるかどうかを判断する：
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定することを特徴とする請求項２２または請求項２３に記載の端末。
【請求項２６】
前記処理ユニットは、
前記ダウンリンク制御チャネルに基づいて、以下の少なくとも１つの方式で、前記ダウンリンク制御チャネルによってスケジューリングされた再送信されたデータパケットの、Ｎ回送信されたデータの中に破損データがあるかどうかを判断する：
方式１：前記端末が、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを受信すると、前記ダウンリンク制御チャネルによってスケジューリングされた再送信されたデータパケットのＮ回の送信されたデータの中に破損されたデータがあると決定し、
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
方式４：前記受信ユニットによって前記ダウンリンク制御チャネルによってスケジューリングされた共有チャネルを受信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示すことを特徴とする請求項２２または請求項２３に記載の端末。
【請求項２７】
前記方式１または前記方式２で前記ダウンリンク制御チャネルによってスケジューリングされた再送信されたデータパケットのＮ回の送信されたデータの中に破損されたデータがあると決定する場合、前記処理ユニットは、さらに、
前記ダウンリンク制御チャネルに前記第１の指示フィールドが含まれると、前記ダウンリンク制御チャネル内の前記第１の指示フィールドによって示される再送信されたＣＢＧのＮ回の送信されたデータの中に破損されたデータがあると決定することを特徴とする請求項２６に記載の端末。
【請求項２８】
前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効であることを特徴とする請求項２６に記載の端末。
【請求項２９】
前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示すことを特徴とする請求項２６に記載の端末。
【請求項３０】
前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送されることを特徴とする請求項２６に記載の端末。
【請求項３１】
前記方式４を使用する場合、前記処理ユニットは、さらに、
次のように、前記第３の指示フィールドの有無を判断する：
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、
前記端末が前記第３の指示フィールド有と決定すると、次のように、前記第３の指示フィールドにより多くのビットの指示情報が含まれるかを判断し、 
前記第３の指示フィールドに少なくとも１ビットの指示情報が含まれ、前記１ビットの指示情報は、前記第３の指示フィールドにより多くのビットの指示情報が含まれるかどうかを示すことを特徴とする請求項２６に記載の端末。
【請求項３２】
前記処理ユニットは、
破損されたデータがあると決定されると、保存された前記再送信しようとするデータパケットのＮ回の送信されたデータ中の破損されたデータをクリアし、または前記再送信されたデータパケット内の対応のデータで前記再送信しようとするデータパケットのＮ回の送信されたデータ中の破損されたデータをカバーすることを特徴とする請求項２２から請求項３１のいずれか一項に記載の端末。
【請求項３３】
端末に、再送信をスケジューリングするためのダウンリンク制御チャネルを送信するための送信ユニットと、
前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知するための処理ユニットと、を備え、
前記Ｎは１以上の整数であることを特徴とする基地局。
【請求項３４】
前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示すことを特徴とする請求項３３に記載の基地局。
【請求項３５】
前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効であることを特徴とする請求項３４に記載の基地局。
【請求項３６】
前記処理ユニットは、
次のように、前記ダウンリンク制御チャネルが再送信をスケジューリングするためのダウンリンク制御チャネルであるかどうかを判断する：
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定することを特徴とする請求項３３または請求項３４に記載の基地局。
【請求項３７】
前記処理ユニットは、
前記ダウンリンク制御チャネルを介して、次の方式のうちの少なくとも１つで、前記端末に、前記ダウンリンク制御チャネルによってスケジューリングされた再送信されたデータパケットの、Ｎ回送信されたデータの中に破損データがあるかどうかを通知する：
方式１：前記送信ユニットが前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを送信したとき、前記処理ユニットは、前記端末に前記ダウンリンク制御チャネルによってスケジューリングされた再送信されたデータパケットのＮ回の送信されたデータの中に破損されたデータがあると決定したことを通知し、
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
方式４：前記送信ユニットにより前記ダウンリンク制御チャネルによってスケジューリングされた共有チャネルを送信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示すことを特徴とする請求項３３または請求項３４に記載の基地局。
【請求項３８】
前記方式１または前記方式２で前記ダウンリンク制御チャネルによってスケジューリングされた再送信されたデータパケットのＮ回の送信されたデータの中に破損されたデータがあると決定する場合、前記処理ユニットは、さらに、前記ダウンリンク制御チャネルに前記第１の指示フィールドが含まれると、前記端末に、前記ダウンリンク制御チャネル内の前記第１の指示フィールドによって示される再送信されたＣＢＧのＮ回の送信されたデータの中に破損されたデータがあると決定したことを通知することを特徴とする請求項３７に記載の基地局。
【請求項３９】
前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効であることを特徴とする請求項３７に記載の基地局。
【請求項４０】
前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示すことを特徴とする請求項３７に記載の基地局。
【請求項４１】
前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送されることを特徴とする請求項３７に記載の基地局。
【請求項４２】
前記方式４を使用する場合、前記処理ユニットは、さらに、
次のように、前記第３の指示フィールドの有無を判断する：
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、前記処理ユニットは、前記第３の指示フィールドの有無を判断して、前記第４の指示フィールドにより端末に通知し、
前記処理ユニットが前記第３の指示フィールド「有」と判断すれば、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示し、前記処理ユニットは、前記第３の指示フィールドにより多くのビットの指示情報が含まれるかどうかを判断し、前記１ビットの指示情報により端末に通知することを特徴とする請求項３７に記載の基地局。
【請求項４３】
プロセッサと、メモリとを備え、
前記プロセッサは、メモリプログラムを読み出し、以下の動作を実行し、
基地局からの、再送信をスケジューリングするためのダウンリンク制御チャネルを受信し、前記ダウンリンク制御チャネルに基づいて、前記ダウンリンク制御チャネルによってスケジューリングされた再送信されたデータパケットの、Ｎ回送信されたデータの中に破損データがあるかどうかを判断し、前記Ｎは１以上の整数であることを特徴とする端末。
【請求項４４】
前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示すことを特徴とする請求項４３に記載の端末。
【請求項４５】
前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効であることを特徴とする請求項４４に記載の端末。
【請求項４６】
前記プロセッサは、
次のように、前記ダウンリンク制御チャネルが再送信をスケジューリングするためのダウンリンク制御チャネルであるかどうかを判断する：
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定することを特徴とする請求項４３または請求項４４に記載の端末。
【請求項４７】
前記プロセッサは、
前記ダウンリンク制御チャネルに基づいて、以下の少なくとも１つの方式で、前記ダウンリンク制御チャネルによってスケジューリングされた再送信されたデータパケットの、Ｎ回送信されたデータの中に破損データがあるかどうかを判断する：
方式１：前記端末が、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを受信すると、前記ダウンリンク制御チャネルによってスケジューリングされた再送信されたデータパケットのＮ回の送信されたデータの中に破損されたデータがあると決定し、
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
方式４：受信ユニットによって前記ダウンリンク制御チャネルによってスケジューリングされた共有チャネルを受信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示すことを特徴とする請求項４３または請求項４４に記載の端末。
【請求項４８】
前記方式１または前記方式２で前記ダウンリンク制御チャネルによってスケジューリングされた再送信されたデータパケットのＮ回の送信されたデータの中に破損されたデータがあると決定する場合、前記プロセッサは、さらに、
前記ダウンリンク制御チャネルに前記第１の指示フィールドが含まれると、前記ダウンリンク制御チャネル内の前記第１の指示フィールドによって示される再送信されたＣＢＧのＮ回の送信されたデータの中に破損されたデータがあると決定することを特徴とする請求項４７に記載の端末。
【請求項４９】
前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効であることを特徴とする請求項４７に記載の端末。
【請求項５０】
前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示すことを特徴とする請求項４７に記載の端末。
【請求項５１】
前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送されることを特徴とする請求項４７に記載の端末。
【請求項５２】
前記方式４を使用する場合、前記プロセッサは、さらに、
次のように、前記第３の指示フィールドの有無を判断する：
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、
前記端末が前記第３の指示フィールド有と決定すると、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示すことを特徴とする請求項４７に記載の端末。
【請求項５３】
前記プロセッサは、
破損されたデータがあると決定されると、保存された前記再送信しようとするデータパケットのＮ回の送信されたデータ中の破損されたデータをクリアし、または前記再送信されたデータパケット内の対応のデータで前記再送信しようとするデータパケットのＮ回の送信されたデータ中の破損されたデータをカバーすることを特徴とする請求項４３から請求項５２のいずれか一項に記載の端末。
【請求項５４】
プロセッサと、メモリとを備え、
前記プロセッサは、メモリプログラムを読み出し、以下の動作を実行し、
端末に再送信をスケジューリングするためのダウンリンク制御チャネルを送信し、前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知し、前記Ｎは１以上の整数であることを特徴とする基地局。
【請求項５５】
前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示すことを特徴とする請求項５４に記載の基地局。
【請求項５６】
前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効であることを特徴とする請求項５５に記載の基地局。
【請求項５７】
前記プロセッサは、
のように、前記ダウンリンク制御チャネルが再送信をスケジューリングするためのダウンリンク制御チャネルであるかどうかを判断する：
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定することを特徴とする請求項５４または請求項５５に記載の基地局。
【請求項５８】
前記プロセッサは、
前記ダウンリンク制御チャネルを介して、次の方式のうちの少なくとも１つで、前記端末に、前記ダウンリンク制御チャネルによってスケジューリングされた再送信されたデータパケットの、Ｎ回送信されたデータの中に破損データがあるかどうかを通知する：
方式１：送信ユニットが前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを送信したとき、処理ユニットは、前記端末に前記ダウンリンク制御チャネルによってスケジューリングされた再送信されたデータパケットのＮ回の送信されたデータの中に破損されたデータがあると決定したことを通知し、
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
方式４：前記送信ユニットにより前記ダウンリンク制御チャネルによってスケジューリングされた共有チャネルを送信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示すことを特徴とする請求項５４または請求項５５に記載の基地局。
【請求項５９】
前記方式１または前記方式２で前記ダウンリンク制御チャネルによってスケジューリングされた再送信されたデータパケットのＮ回の送信されたデータの中に破損されたデータがあると決定する場合、前記プロセッサは、さらに、前記ダウンリンク制御チャネルに前記第１の指示フィールドが含まれると、前記端末に、前記ダウンリンク制御チャネル内の前記第１の指示フィールドによって示される再送信されたＣＢＧのＮ回の送信されたデータの中に破損されたデータがあると決定したことを通知することを特徴とする請求項５８に記載の基地局。
【請求項６０】
前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。ことを特徴とする請求項５８に記載の基地局。
【請求項６１】
前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示すことを特徴とする請求項５８に記載の基地局。
【請求項６２】
前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送されることを特徴とする請求項５８に記載の基地局。
【請求項６３】
前記方式４を使用する場合、前記プロセッサは、さらに、
次のように、前記第３の指示フィールドの有無を判断する：
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、前記処理ユニットは、前記第３の指示フィールドの有無を判断して、前記第４の指示フィールドにより端末に通知し、
前記処理ユニットが前記第３の指示フィールド「有」と判断すれば、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示し、前記処理ユニットは、前記第３の指示フィールドにより多くのビットの指示情報が含まれるかどうかを判断し、前記１ビットの指示情報により端末に通知することを特徴とする請求項５８に記載の基地局。
【請求項６４】
コンピュータ装置上で実行されると、コンピュータ装置に請求項１から請求項１１のいずれか一項に記載の方法、または請求項１２から２１のいずれか一項に記載の方法を実行させるように構成されたプログラムコードを含むコンピュータ可読記憶媒体。
【発明の詳細な説明】
【技術分野】
【０００１】
関連出願の相互参照
本出願は、２０１７年５月５日に中国特許局に提出し、出願番号が２０１７１０３１４１９４．６であり、発明名称が「データが破損しているかどうかを判断するための方法および装置」との中国特許出願を基礎とする優先権を主張し、その開示の総てをここに取り込む。
【０００２】
本発明は、無線通信技術分野に関し、特にデータが破損しているかどうかを判断するための方法および装置に関する。
【背景技術】
【０００３】
モバイル通信サービスに対する需要が変化しているため、国際電気通信連合（Ｉｎｔｅｒｎａｔｉｏｎａｌ Ｔｅｌｅｃｏｍｍｕｎｉｃａｔｉｏｎ Ｕｎｉｏｎ，ＩＴＵ）、第３世代パートナーシッププロジェクト（３ｒｄ Ｇｅｎｅｒａｔｉｏｎ Ｐａｒｔｎｅｒｓｈｉｐ Ｐｒｏｊｅｃｔ，３ＧＰＰ）、および他の組織は、例えば５Ｇシステムなどの新しい無線通信システムに関する研究を行ってきた。新しい無線通信システムは、さまざまな共存タイプのサービス、たとえば、超高信頼低遅延通信（Ｕｌｔｒａ−Ｒｅｌｉａｂｌｅ ａｎｄ Ｌｏｗ−Ｌａｔｅｎｃｙ Ｃｏｍｍｕｎｉｃａｔｉｏｎ，ＵＲＬＬＣ）サービス、拡張モバイルブロードバンド（Ｅｎｈａｎｃｅｄ Ｍｏｂｉｌｅ Ｂｒｏａｄｂａｎｄ，ｅＭＢＢ）サービス、大規模マシンタイプ通信（Ｍａｓｓｉｖｅ Ｍａｃｈｉｎｅ Ｔｙｐｅ Ｃｏｍｍｕｎｉｃａｔｉｏｎ，ｍＭＴＣ）サービスなどをサポートできる。
【０００４】
ロングタームエボリューション（Ｌｏｎｇ Ｔｅｒｍ Ｅｖｏｌｕｔｉｏｎ，ＬＴＥ）システムでは、データは毎回伝送ブロック（Ｔｒａｎｓｐｏｒｔ Ｂｌｏｃｋ，ＴＢ）で送信される。ダウンリンク送信を例にとると、ユーザ機器は、PDＳＣHの受信時に、物理ダウンリンク共有チャネル（Ｐｈｙｓｉｃａｌ Ｄｏｗｎｌｉｎｋ Ｓｈａｒｅｄ Ｃｈａｎｎｅｌ，ＰＤＳＣＨ）で送信されたＴＢの肯定応答（Ａｃｋｎｏｗｌｅｄｇｅｍｅｎｔ，ＡＣＫ）または非肯定応答（Ｎｏｎ−Ａｃｋｎｏｗｌｅｄｇｅｍｅｎｔ，ＮＡＣＫ）をフィードバックする。エンコーダの複雑さは限られているため、ＴＢはＫ個のコードブロック（Ｃｏｄｅ Ｂｌｏｃｋ，ＣＢ）に分割され、各ＣＢに対してエンコードおよび巡回冗長検査（Ｃｙｃｌｉｃ Ｒｅｄｕｎｄａｎｃｙ Ｃｈｅｃｋ，ＣＲＣ）を行い、エンコードされたＣＢが連結されてマッピングされる。各ＣＢは個別にエンコードされ、ＣＲＣを含むため、実際には各ＣＢに対してＡＣＫ/ＮＡＣＫフィードバック情報を生成できる。ＬＴＥシステムでのＡＣＫ/ＮＡＣＫフィードバックの量を減らすために、ＴＢのみに対して、ＡＣＫ/ＮＡＣＫフィードバックが行われ、つまり、ＴＢ内のすべてのＣＢが正しく受信された場合にのみ、ＴＢは正しく受信されたとみなす。端末はＡＣＫをフィードバック情報としてフィードバックする。また、ＴＢ内のＣＢのいずれかが誤って受信された場合、当該ＴＢのフィードバック情報はＮＡＣＫになるため、基地局側はＴＢを再送信する。ＴＢ全体がＬＴＥシステムで再送信されるため、不必要な再送信の冗長性が存在する可能性があり、送信効率が低下する。
【０００５】
５Ｇシステムでは、ＣＢＧ（コードブロックグループ）ベースの再送信をサポートし、ＴＢがＫ個のＣＢにセグメント化された後、ＴＢがセグメント化されるＫ個のＣＢをＣＢＧへ結合する明確な方法がこれまでなかった。５Ｇシステムでさまざまなサービスが同時に送信される場合、たとえば、端末はｅＭＢＢサービスにアクセスします。ｅＭＢＢサービスデータは伝送ブロックで搬送され、ＵＲＬＬＣサービスのデータも伝送ブロックで送信されるため、ｅＭＢＢサービスデータを伝送する伝送ブロックのうち、ＵＲＬＬＣサービスデータが占有する傾向があり、ｅＭＢＢサービスデータのＵＲＬＬＣサービスデータと重複する部分を含むｅＭＢＢサービスは、ＵＲＬＬＣサービスでカバーされてしまう。すなわち、ＵＲＬＬＣサービスと重複するｅＭＢＢサービスの送信部分はパンクチャリング（ｐｕｎｃｔｕｒｅ）され、ｅＭＢＢサービスにアクセスする端末は、重複する部分において、実際に受信し他はＵＲＬＬＣサービスデータであることを知らない場合がある。さらに、ＨＡＲＱ（Ｈｙｂｒｉｄ Ａｕｔｏｍａｔｉｃ Ｒｅｐｅａｔ ｒｅｑｕｅｓt）メカニズムがデータ送信でサポートされる。すなわち、つまり、ＴＢが最初に送信されなかった後、Ｎ回再送信され、再送信されたデータを最後に送信されたデータとマージでき、伝送と復調の性能を改善する。端末は、再送信されたデータパケットの最後に送信された、またはＮ回送信されたｅＭＢＢサービスデータの中に破損したデータがあることを知らず、さらに受信された再送されたｅＭＢＢサービスデータを、重複する部分のＵＲＬＬＣサービス情報をさらにマージし、これによって、エラーが拡大され、ｅＭＢＢサービスの送信性能を低下させる。
【０００６】
要約すると、今回の再送されているデータパケットのＮ回の送信されたデータの中に破損データがあるかどうかを端末が判断できるように、データが破損しているかどうかを判断するための方法を提供することが非常に望ましい。
【発明の概要】
【発明が解決しようとする課題】
【０００７】
本発明の実施形態は、再送信されたデータパケットの、Ｎ回送信されたデータの中に破損データがあるかどうかデータの中に破損データがあるかどうかを端末が判断できるように、データが破損しているかどうかを判断するための方法および装置を提供する。
【課題を解決するための手段】
【０００８】
第１の態様によれば、本発明の実施形態に係るデータが破損しているかどうかを判断するための方法は、端末は、基地局から再送信をスケジューリングするためのダウンリンク制御チャネルを受信するステップと、前記端末は、前記ダウンリンク制御チャネルに基づいて、前記ダウンリンク制御チャネルによってスケジューリングされた再送信されたデータパケットの、Ｎ回送信されたデータの中に破損データがあるかどうかを判断するステップと、前記Ｎは１以上の整数である。
【０００９】
任意の選択で、前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示す。
【００１０】
任意の選択で、前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効である。
【００１１】
任意の選択で、前記端末は、以下のように、前記ダウンリンク制御チャネルが再送信をスケジューリングするためのダウンリンク制御チャネルであるかどうかを判断する：前記ダウンリンク制御チャネルに使用されるダウンリンク制御情報ＤＣＩフォーマットに基づいて決定し、または、前記ダウンリンク制御チャネルに使用される無線ネットワーク一時的識別子（ＲＮＴＩ）に基づいて決定し、または、前記ダウンリンク制御チャネル内のハイブリッド自動再送要求（ＨＡＲＱ）プロセス番号および新しいデータ指示フィールドに基づいて決定し、または、前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定する。
【００１２】
任意の選択で、前記端末は、前記ダウンリンク制御チャネルに基づいて、以下の少なくとも１つの方式で、前記ダウンリンク制御チャネルによってスケジューリングされた再送信されたデータパケットの、Ｎ回送信されたデータの中に破損データがあるかどうかを判断する：
【００１３】
方式１：前記端末が、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを受信すると、前記端末は、前記ダウンリンク制御チャネルによってスケジューリングされた再送信されたデータパケットのＮ回の送信されたデータの中に破損されたデータがあると、判断し、
【００１４】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
【００１５】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
【００１６】
方式４：前記端末によって前記ダウンリンク制御チャネルによってスケジューリングされた共有チャネルを受信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【００１７】
任意の選択で、前記方式１または前記方式２で前記ダウンリンク制御チャネルによってスケジューリングされた再送信されたデータパケットのＮ回の送信されたデータの中に破損されたデータがあると決定する場合、さらに、前記ダウンリンク制御チャネルに前記第１の指示フィールドが含まれると、前記端末は、前記ダウンリンク制御チャネル内の前記第１の指示フィールドによって示される再送信されたＣＢＧのＮ回の送信されたデータの中に破損されたデータがあると決定する。
【００１８】
任意の選択で、前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。
【００１９】
任意の選択で、前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示す。
【００２０】
任意の選択で、前記第３の指示フィールド、および前記共有チャネルで運ばれる再送信情報は、別々にエンコードされ、および/または、前記第３の指示フィールドは、前記共有チャネルで運ばれるＣＢＧの１つの固定のＣＢＧに対応するリソースにおいて、パンクチャリングまたはレートマッチング方式で伝送される。
【００２１】
任意の選択で、前記方式４を使用する場合、前記端が前記第３の指示フィールドを取得する前、さらに、前記端末は、次のように、前記第３の指示フィールドの有無を判断する：前記共有チャネルが再送信を行うと判断すると、前記第３の指示フィールド「有」と判断し、または、前記ダウンリンク制御チャネルに少なくとも１ビットの第４の指示フィールドがあり、前記第４の指示フィールドは、前記共有チャネル中前記第３の指示フィールドの有無を示し、前記端末が前記第３の指示フィールド有と決定すると、次のように、前記第３の指示フィールドにより多くのビットの指示情報が含まれるかを判断し、前記第３の指示フィールドに少なくとも１ビットの指示情報が含まれ、前記１ビットの指示情報は、前記第３の指示フィールドにより多くのビットの指示情報が含まれるかどうかを示す。
【００２２】
任意の選択で、前記端末が破損されたデータがあると判断した場合、前記端末は、保存された前記再送信しようとするデータパケットのＮ回の送信されたデータ中の破損されたデータをクリアし、または前記再送信されたデータパケット内の対応のデータで前記再送信しようとするデータパケットのＮ回の送信されたデータ中の破損されたデータをカバーする。
【００２３】
第２の態様によれば、本発明の実施形態に係る別のデータが破損しているかどうかを判断するための方法は、基地局は、端末に再送信をスケジューリングするためのダウンリンク制御チャネルを送信するステップと、前記基地局は、前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知するステップとを備え、前記Ｎは１以上の整数である。
【００２４】
任意の選択で、前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示す。
【００２５】
任意の選択で、前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効である。
【００２６】
任意の選択で、前記ダウンリンク制御チャネルが再送信をスケジューリングするためのダウンリンク制御チャネルであるかどうかを判断する場合、前記ダウンリンク制御チャネルに使用されるダウンリンク制御情報ＤＣＩフォーマットに基づいて決定し、または、前記ダウンリンク制御チャネルに使用される無線ネットワーク一時的識別子（ＲＮＴＩ）に基づいて決定し、または、前記ダウンリンク制御チャネル内のハイブリッド自動再送要求（ＨＡＲＱ）プロセス番号および新しいデータ指示フィールドに基づいて決定し、または、前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定する。
【００２７】
任意の選択で、前記基地局は、次の方式のうちの少なくとも１つで、前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知する：
【００２８】
方式１：前記基地局が、前記ダウンリンク制御チャネルによってスケジューリングされた再送信されたデータパケットのＮ回の送信されたデータに対するＡＣＫ/ＮＡＣＫ情報を、フィードバックする前、前記ダウンリンク制御チャネルを送信したとき、前記端末に、前記ダウンリンク制御チャネルによってスケジューリングされた再送信されたデータパケットのＮ回の送信されたデータの中に破損されたデータがあると決定したことを通知し、
【００２９】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
【００３０】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
【００３１】
方式４：前記基地局が前記ダウンリンク制御チャネルによってスケジューリングされた共有チャネルを送信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【００３２】
任意の選択で、前記方式１または前記方式２で前記ダウンリンク制御チャネルによってスケジューリングされた再送信されたデータパケットのＮ回の送信されたデータの中に破損されたデータがあると決定する場合、さらに、前記ダウンリンク制御チャネルに前記第１の指示フィールドが含まれると、前記端末に、前記ダウンリンク制御チャネル内の前記第１の指示フィールドによって示される再送信されたＣＢＧのＮ回の送信されたデータの中に破損されたデータがあると決定したことを通知する。
【００３３】
任意の選択で、前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。
【００３４】
任意の選択で、前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示す。
【００３５】
任意の選択で、前記第３の指示フィールド、および前記共有チャネルで運ばれる再送信情報は、別々にエンコードされ、および/または、前記第３の指示フィールドは、前記共有チャネルで運ばれるＣＢＧの１つの固定のＣＢＧに対応するリソースにおいて、パンクチャリングまたはレートマッチング方式で伝送される。
【００３６】
任意の選択で、前記方式４を使用する場合、前記基地局が前記第３の指示フィールドを生成する前に、さらに、前記基地局は、次のように、前記第３の指示フィールドの有無を判断する：前記共有チャネルが再送信を行うと判断すると、前記第３の指示フィールド「有」と判断し、または、前記ダウンリンク制御チャネルに少なくとも１ビットの第４の指示フィールドがあり、前記第４の指示フィールドは、前記共有チャネル中前記第３の指示フィールドの有無を示し、前記基地局は、前記第３の指示フィールドの有無を判断して、前記第４の指示フィールドにより端末に通知し、前記基地局に前記第３の指示フィールドがあれば、次のように、前記第３の指示フィールドにより多くのビットの指示情報が含まれるかを判断し、前記第３の指示フィールドに少なくとも１ビットの指示情報が含まれ、前記１ビットの指示情報は、前記第３の指示フィールドにより多くのビットの指示情報が含まれるかどうかを示し、前記基地局は、前記第３の指示フィールドにより多くのビットの指示情報が含まれるかどうかを決定して、前記１ビットの指示情報により端末に通知する。
【００３７】
第３の態様によれば、本発明の実施形態に係る端末は、基地局からの、再送信をスケジューリングするためのダウンリンク制御チャネルを受信するための受信ユニットと、前記ダウンリンク制御チャネルに基づいて、前記ダウンリンク制御チャネルによってスケジューリングされた再送信されたデータパケットの、Ｎ回送信されたデータの中に破損データがあるかどうかを判断するための処理ユニットとを備え、前記Ｎは１以上の整数である。
【００３８】
任意の選択で、前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示す。
【００３９】
任意の選択で、前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効である。
【００４０】
任意の選択で、前記処理ユニットは、次のように、前記ダウンリンク制御チャネルが再送信をスケジューリングするためのダウンリンク制御チャネルであるかどうかを判断する：前記ダウンリンク制御チャネルに使用されるダウンリンク制御情報ＤＣＩフォーマットに基づいて決定し、または、前記ダウンリンク制御チャネルに使用される無線ネットワーク一時的識別子（ＲＮＴＩ）に基づいて決定し、または、前記ダウンリンク制御チャネル内のハイブリッド自動再送要求（ＨＡＲＱ）プロセス番号および新しいデータ指示フィールドに基づいて決定し、または、前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定する。
【００４１】
任意の選択で、前記処理ユニットは、前記ダウンリンク制御チャネルに基づいて、以下の少なくとも１つの方式で、前記ダウンリンク制御チャネルによってスケジューリングされた再送信されたデータパケットの、Ｎ回送信されたデータの中に破損データがあるかどうかを判断する：
【００４２】
方式１：前記端末が、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを受信すると、前記ダウンリンク制御チャネルによってスケジューリングされた再送信されたデータパケットのＮ回の送信されたデータの中に破損されたデータがあると決定し、
【００４３】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
【００４４】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
【００４５】
方式４：前記受信ユニットによって前記ダウンリンク制御チャネルによってスケジューリングされた共有チャネルを受信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【００４６】
任意の選択で、前記方式１または前記方式２で前記ダウンリンク制御チャネルによってスケジューリングされた再送信されたデータパケットのＮ回の送信されたデータの中に破損されたデータがあると決定する場合、前記処理ユニットは、さらに、前記ダウンリンク制御チャネルに前記第１の指示フィールドが含まれると、前記ダウンリンク制御チャネル内の前記第１の指示フィールドによって示される再送信されたＣＢＧのＮ回の送信されたデータの中に破損されたデータがあると決定する。
【００４７】
任意の選択で、前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。
【００４８】
任意の選択で、前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示す。
【００４９】
任意の選択で、前記第３の指示フィールド、および前記共有チャネルで運ばれる再送信情報は、別々にエンコードされ、および/または、前記第３の指示フィールドは、前記共有チャネルで運ばれるＣＢＧの１つの固定のＣＢＧに対応するリソースにおいて、パンクチャリングまたはレートマッチング方式で伝送される。
【００５０】
任意の選択で、前記方式４を使用する場合、前記処理ユニットは、次のように、前記第３の指示フィールドの有無を判断する：前記共有チャネルが再送信を行うと判断すると、前記第３の指示フィールド「有」と判断し、または、前記ダウンリンク制御チャネルに少なくとも１ビットの第４の指示フィールドがあり、前記第４の指示フィールドは、前記共有チャネル中前記第３の指示フィールドの有無を示し、前記端末が前記第３の指示フィールド有と決定すると、次のように、前記第３の指示フィールドにより多くのビットの指示情報が含まれるかを判断し、前記第３の指示フィールドに少なくとも１ビットの指示情報が含まれ、前記１ビットの指示情報は、前記第３の指示フィールドにより多くのビットの指示情報が含まれるかどうかを示す。
【００５１】
任意の選択で、前記処理ユニットは、破損されたデータがあると決定されると、保存された前記再送信しようとするデータパケットのＮ回の送信されたデータ中の破損されたデータをクリアし、または前記再送信されたデータパケット内の対応のデータで前記再送信しようとするデータパケットのＮ回の送信されたデータ中の破損されたデータをカバーする。
【００５２】
第４の態様によれば、本発明の実施形態に係る基地局は、端末に、再送信をスケジューリングするためのダウンリンク制御チャネルを送信するための送信ユニットと、前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知するための処理ユニットとを備え、前記Ｎは１以上の整数である。
【００５３】
任意の選択で、前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示す。
【００５４】
任意の選択で、前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効である。
【００５５】
任意の選択で、前記処理ユニットは、次のように、前記ダウンリンク制御チャネルが再送信をスケジューリングするためのダウンリンク制御チャネルであるかどうかを判断する：前記ダウンリンク制御チャネルに使用されるダウンリンク制御情報ＤＣＩフォーマットに基づいて決定し、または、前記ダウンリンク制御チャネルに使用される無線ネットワーク一時的識別子（ＲＮＴＩ）に基づいて決定し、または、前記ダウンリンク制御チャネル内のハイブリッド自動再送要求（ＨＡＲＱ）プロセス番号および新しいデータ指示フィールドに基づいて決定し、または、前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定する。
【００５６】
任意の選択で、前記処理ユニットは、前記ダウンリンク制御チャネルを介して、次の方式のうちの少なくとも１つで、前記端末に、前記ダウンリンク制御チャネルによってスケジューリングされた再送信されたデータパケットの、Ｎ回送信されたデータの中に破損データがあるかどうかを通知する：
【００５７】
方式１：前記送信ユニットが前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを送信したとき、前記処理ユニットは、前記端末に前記ダウンリンク制御チャネルによってスケジューリングされた再送信されたデータパケットのＮ回の送信されたデータの中に破損されたデータがあると決定したことを通知し、
【００５８】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
【００５９】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
【００６０】
方式４：前記送信ユニットにより前記ダウンリンク制御チャネルによってスケジューリングされた共有チャネルを送信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【００６１】
任意の選択で、前記方式１または前記方式２で前記ダウンリンク制御チャネルによってスケジューリングされた再送信されたデータパケットのＮ回の送信されたデータの中に破損されたデータがあると決定する場合、前記処理ユニットは、さらに、前記ダウンリンク制御チャネルに前記第１の指示フィールドが含まれると、前記端末に、前記ダウンリンク制御チャネル内の前記第１の指示フィールドによって示される再送信されたＣＢＧのＮ回の送信されたデータの中に破損されたデータがあると決定したことを通知する。
【００６２】
任意の選択で、前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。
【００６３】
任意の選択で、前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示す。
【００６４】
任意の選択で、前記第３の指示フィールド、および前記共有チャネルで運ばれる再送信情報は、別々にエンコードされ、および/または、前記第３の指示フィールドは、前記共有チャネルで運ばれるＣＢＧの１つの固定のＣＢＧに対応するリソースにおいて、パンクチャリングまたはレートマッチング方式で伝送される。
【００６５】
任意の選択で、前記方式４を使用する場合、前記処理ユニットは、さらに、次のように、前記第３の指示フィールドの有無を判断する：前記共有チャネルが再送信を行うと判断すると、前記第３の指示フィールド「有」と判断し、または、前記ダウンリンク制御チャネルに少なくとも１ビットの第４の指示フィールドがあり、前記第４の指示フィールドは、前記共有チャネル中前記第３の指示フィールドの有無を示し、前記処理ユニットは、前記第３の指示フィールドの有無を判断して、前記第４の指示フィールドにより端末に通知し、前記処理ユニットが前記第３の指示フィールド「有」と判断すれば、次のように、前記第３の指示フィールドにより多くのビットの指示情報が含まれるかを判断し、前記第３の指示フィールドに少なくとも１ビットの指示情報が含まれ、前記１ビットの指示情報は、前記第３の指示フィールドにより多くのビットの指示情報が含まれるかどうかを示し、前記処理ユニットは、前記第３の指示フィールドにより多くのビットの指示情報が含まれるかどうかを判断し、前記１ビットの指示情報により端末に通知する。
【００６６】
第５の態様によれば、本発明の実施形態に係る端末は、プロセッサと、メモリとを備え、
前記プロセッサは、メモリプログラムを読み出し、以下の動作を実行し、
基地局からの、再送信をスケジューリングするためのダウンリンク制御チャネルを受信する。前記ダウンリンク制御チャネルに基づいて、前記ダウンリンク制御チャネルによってスケジューリングされた再送信されたデータパケットの、Ｎ回送信されたデータの中に破損データがあるかどうかを判断し、前記Ｎは１以上の整数である。
【００６７】
任意の選択で、前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示す。
【００６８】
任意の選択で、前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効である。
【００６９】
任意の選択で、前記プロセッサは、
次のように、前記ダウンリンク制御チャネルが再送信をスケジューリングするためのダウンリンク制御チャネルであるかどうかを判断する：
【００７０】
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定する。
【００７１】
任意の選択で、前記プロセッサは、
前記ダウンリンク制御チャネルに基づいて、以下の少なくとも１つの方式で、前記ダウンリンク制御チャネルによってスケジューリングされた再送信されたデータパケットの、Ｎ回送信されたデータの中に破損データがあるかどうかを判断する：
【００７２】
方式１：前記端末が、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを受信すると、前記ダウンリンク制御チャネルによってスケジューリングされた再送信されたデータパケットのＮ回の送信されたデータの中に破損されたデータがあると決定し、
【００７３】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
【００７４】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
【００７５】
方式４：前記受信ユニットによって前記ダウンリンク制御チャネルによってスケジューリングされた共有チャネルを受信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【００７６】
任意の選択で、前記方式１または前記方式２で前記ダウンリンク制御チャネルによってスケジューリングされた再送信されたデータパケットのＮ回の送信されたデータの中に破損されたデータがあると決定する場合、前記プロセッサは、さらに、
前記ダウンリンク制御チャネルに前記第１の指示フィールドが含まれると、前記ダウンリンク制御チャネル内の前記第１の指示フィールドによって示される再送信されたＣＢＧのＮ回の送信されたデータの中に破損されたデータがあると決定する。
【００７７】
任意の選択で、前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。
【００７８】
任意の選択で、前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示す。
【００７９】
任意の選択で、前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送される。
【００８０】
任意の選択で、前記方式４を使用する場合、前記プロセッサは、さらに、
次のように、前記第３の指示フィールドの有無を判断する：
【００８１】
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、
前記端末が前記第３の指示フィールド有と決定すると、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示す。
【００８２】
任意の選択で、前記プロセッサは、
破損されたデータがあると決定されると、保存された前記再送信しようとするデータパケットのＮ回の送信されたデータ中の破損されたデータをクリアし、または前記再送信されたデータパケット内の対応のデータで前記再送信しようとするデータパケットのＮ回の送信されたデータ中の破損されたデータをカバーする。
【００８３】
第６の態様によれば、本発明の実施形態に係る基地局は、プロセッサと、メモリとを備え、
前記プロセッサは、メモリプログラムを読み出し、以下の動作を実行し、
端末に再送信をスケジューリングするためのダウンリンク制御チャネルを送信し、前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知し、前記Ｎは１以上の整数である。
【００８４】
任意の選択で、前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示す。
【００８５】
任意の選択で、前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効である。
【００８６】
任意の選択で、前記プロセッサは、
次のように、前記ダウンリンク制御チャネルが再送信をスケジューリングするためのダウンリンク制御チャネルであるかどうかを判断する：
【００８７】
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定する。
【００８８】
任意の選択で、前記プロセッサは、
前記ダウンリンク制御チャネルを介して、次の方式のうちの少なくとも１つで、前記端末に、前記ダウンリンク制御チャネルによってスケジューリングされた再送信されたデータパケットの、Ｎ回送信されたデータの中に破損データがあるかどうかを通知する：
【００８９】
方式１：前記送信ユニットが前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを送信したとき、前記処理ユニットは、前記端末に前記ダウンリンク制御チャネルによってスケジューリングされた再送信されたデータパケットのＮ回の送信されたデータの中に破損されたデータがあると決定したことを通知し、
【００９０】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
【００９１】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
【００９２】
方式４：前記送信ユニットにより前記ダウンリンク制御チャネルによってスケジューリングされた共有チャネルを送信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【００９３】
任意の選択で、前記方式１または前記方式２で前記ダウンリンク制御チャネルによってスケジューリングされた再送信されたデータパケットのＮ回の送信されたデータの中に破損されたデータがあると決定する場合、前記プロセッサは、さらに、前記ダウンリンク制御チャネルに前記第１の指示フィールドが含まれると、前記端末に、前記ダウンリンク制御チャネル内の前記第１の指示フィールドによって示される再送信されたＣＢＧのＮ回の送信されたデータの中に破損されたデータがあると決定したことを通知する。
【００９４】
任意の選択で、前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。
【００９５】
任意の選択で、前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示す。
【００９６】
任意の選択で、前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送される。
【００９７】
任意の選択で、前記方式４を使用する場合、前記プロセッサは、さらに、
次のように、前記第３の指示フィールドの有無を判断する：
【００９８】
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、前記処理ユニットは、前記第３の指示フィールドの有無を判断して、前記第４の指示フィールドにより端末に通知し、
前記処理ユニットが前記第３の指示フィールド「有」と判断すれば、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示し、前記処理ユニットは、前記第３の指示フィールドにより多くのビットの指示情報が含まれるかどうかを判断し、前記１ビットの指示情報により端末に通知する。
【００９９】
第７の態様によれば、本発明の実施形態は、コンピュータ装置上で実行されると、コンピュータ装置に上記第１の態様に係るいずれかの方法のステップまたは上記第２態様に係るいずれかの方法のステップを実行させるように構成されたプログラムコードを含むコンピュータ可読記憶媒体を提供する。
【発明の効果】
【０１００】
本発明の実施形態によれば、端末は、基地局から再送信をスケジューリングするためのダウンリンク制御チャネルを受信し、端末は、ダウンリンク制御チャネルに基づいて、ダウンリンク制御チャネルによってスケジューリングされた再送信されたデータパケットの、Ｎ回送信されたデータの中に破損データがあるかどうかを判断し、前記Ｎは１以上の整数である。従って、端末が、再送信をスケジューリングするためのダウンリンク制御チャネルを受信し、ダウンリンク制御チャネルに基づいてダウンリンク制御チャネルによってスケジューリングされた再送信されたデータパケットの、Ｎ回送信されたデータの中に破損データがあるかどうかを判断することにより、伝送性能を改善する。
【図面の簡単な説明】
【０１０１】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】本発明の実施形が適用可能なシステムアーキテクチャの概略図である。
【図２】本発明の第１の実施形態に係るデータが破損しているかどうかを判断するための方法の概略フローチャートである。
【図３】本発明の一実施形態によるチャネル送信プロセスを示す図である。
【図４】本発明の第２の実施形態に係るデータが破損しているかどうかを判断するための方法の概略フローチャートである。
【図５】本発明の実施形態に係る端末の概略構造図である。
【図６】本発明の実施形態に係る基地局の概略構造図である。
【図７】本発明の実施形態に係る端末の概略構造図である。
【図８】本発明の実施形態に係る基地局の概略構造図である。
【発明を実施するための形態】
【０１０２】
本発明の目的、技術解決策およびメリットをより明瞭にするため、以下、添付図面を参照して本発明をさらに詳細に説明する。
【０１０３】
本明細書および上記図面の明細書および特許請求の範囲における用語「第１」、「第２」などは、異なる目的を区別するために使用され、特定の順序を説明することを意図しない。さらに、「含む」および「備える」という用語は、あらゆる変更を網羅することを意図しており、たとえば、一連のステップまたは要素を含むプロセス、方法、システム、製品、またはデバイスは、リストされたステップまたは要素に限定されず、オプションでリストされていないステップまたはステップまたは要素をさらに含むことができる。または、オプションでこれらのプロセス、方法、製品、またはデバイスに固有の別のステップまたは要素をさらに含むことができる。
【０１０４】
本発明の一実施形態による、データが破損しているかどうかを判断する方法は、様々なシステムアーキテクチャに適用可能であり得る。図１は、本発明の実施形態が適用可能なシステムアーキテクチャの概略図である。図１に示されるように、システムアーキテクチャ１００は、基地局１０１と、例えば、端末１０２、端末１０３、および端末１０４などの１つまたは複数の端末とを含む。基地局１０１は、ネットワークを介して、端末１０２、端末１０３、および端末１０４とデータを送信することができる。
【０１０５】
本発明の実施形態では、基地局は、無線通信機能を提供するために無線アクセスネットワークに配備されたデバイスである。また、たとえば、２Ｇネットワークで基地局として機能するデバイスには、Ｂａｓｅ Ｔｒａｎｓｃｅｉｖｅｒ Ｓｔａｔｉｏｎ（ＢＴＳ）およびＢａｓｅ Ｓｔａｔｉｏｎ Ｃｏｎｔｒｏｌｌｅｒ（ＢＳＣ）が含まれ、３Ｇネットワークで基地局として機能するデバイスには、ノードＢ（ＮｏｄｅＢ）および無線ネットワークコントローラー（ｒａｄｉｏ ｎｅｔｗｏｒｋ ｃｏｎｔｒｏｌｌｅｒ， ＲＮＣ）、４Ｇネットワークで基地局として機能するデバイスにはｅｖｏｌｖｅｄ ＮｏｄｅＢ（ｅＮＢ）が含まれ、５Ｇネットワークで基地局として機能するデバイスには新しい無線ノードＢ（Ｎｅｗ Ｒａｄｉｏ ＮｏｄｅＢ， ｇＮＢ）、中央ユニット（Ｃｅｎｔｒａｌｉｚｅｄ Ｕｎｉｔ， ＣＵ）、分散ユニット（Ｄｉｓｔｒｉｂｕｔｅｄ Ｕｎｉｔ）および新しい無線コントローラーが含まれ、WLＡＮで基地局として機能するデバイスにはアクセスポイント（Ａｃｃｅｓｓ Ｐｏｉｎｔ，Ｎｅｗ Ｒａｄｉｏ ＮｏｄｅＢ ＡP）が含まれる。
【０１０６】
端末は、音声および／またはデータ接続性をユーザに提供するデバイス(ｄｅｖｉｃｅ)を指し、無線端末または有線端末を含む。無線端末は、無線接続機能を備えたハンドヘルドデバイス、無線モデムに接続された別の処理デバイス、または無線アクセスネットワークを介して１つ以上のコアネットワークと通信するモバイル端末である。例えば、無線端末無線端末は、携帯電話（または「携帯」電話）、および携帯端末を含むコンピュータであり得る。別の例では、無線端末は、ポータブル、ポケット、ハンドヘルド、内蔵コンピュータ、または車両のモバイル機器であり得る。さらなる例において、無線端末は、移動局ｍｏｂｉｌｅ ｓｔａｔｉｏｎ）、アクセスポイント（ａｃｃｅｓｓ ｐｏｉｎｔ）、またはユーザ機器（ｕｓｅｒ ｅｑｕｉｐｍｅｎｔ，ＵＥ）の一部であり得る。
【０１０７】
５Ｇシステムにおいて、ＣＢＧの送信は現在サポートされている、すなわち、１つのＴＢはＫコードブロック（ＣＢ）に分割された後、Ｋ個のＣＢはある規則の下で複数のＣＢＧにグループ化され得る。各ＣＢＧには１つのＣＢのみを含むか、Ｋ個のＣＢ（つまり、１つのＴＢ）を含むこともできる。従来技術では、１つのＴＢから分割されたＫ個のＣＢをＣＢＧに結合するための明確な方法がこれまで存在せず、本発明の実施形態では、以下のように実施可能である：可能な１実施形態では、固定ＣＢＧの数が設定され、ＴＢを固定数のＣＢＧに分割し、各ＣＢＧのＣＢの数は伝送ブロックサイズ（Ｔｒａｎｓｐｏｒｔ Ｂｌｏｃｋ Ｓｉｚｅ，ＴＢＳ）によって異なる。別の可能な実施形態では、各ＣＢＧ内の固定数のＣＢが設定され、１つのＴＢから分割されたＣＢＧの数はＴＢＳによって異なる。そして、さらなる可能な実施形態では、ＣＢＧの数、および/またはＣＢＧ内のＣＢの数は、ＴＢＳに従って定義される。
【０１０８】
本発明の実施形態では、１つのＴＢは固定数のＣＢＧで設定され、ＬＴＥシステムでのＴＢに基づいて再送信することを比較すると、ＣＢＧに基づいて再送信することにより、不必要な再送信冗長性を低下させ、送信効率を向上させる。
【０１０９】
図２は、本発明の第１の実施形態に係るデータが破損しているかどうかを判断するための方法の概略フローチャートを示している。図２に示すように、この方法には以下のステップが備えられる。
【０１１０】
ステップ２０１において、端末は、基地局から再送信をスケジューリングするためのダウンリンク制御チャネルを受信する。
【０１１１】
ステップ２０２において、端末は、ダウンリンク制御チャネルに基づいて、ダウンリンク制御チャネルによってスケジューリングされた再送信されたデータパケットの、Ｎ回送信されたデータの中に破損データがあるかどうかを判断する。
【０１１２】
本発明の実施形態では、端末基地局からの、再送信をスケジューリングするためのダウンリンク制御チャネルを受信し、ダウンリンク制御チャネルに基づいてダウンリンク制御チャネルによってスケジューリングされた再送信されたデータパケットの、Ｎ回送信されたデータの中に破損データがあるかどうかを判断し、伝送性能を改善する。
【０１１３】
一実施形態では、ステップ２０２のデータパケットは、１つまたは複数のトランスポートブロック（ＴＢ）または１つまたは複数のコードブロックグループ（ＣＢＧ）であることができ、すなわち、データの送信は、ＴＢベースで再送信（たとえば、当該ＴＢ内のすべてのＣＢＧが誤って送信された場合、当該ＴＢ全体が再送信される）することができ、または、コードブロックグループベースで再送信（たとえば、当該ＴＢの最初に送信において、ＣＢＧの一部のみが最初に誤って送信された場合、間違ったＣＢＧのみが再送信される）することもできる。
【０１１４】
本発明の実施形態では、破損されたデータは、ＣＢＧであるか、コードブロック（ＣＢ）であるか、ＣＢＧまたはＣＢによって占有されているシンボルであることができる。特に、再送信されたデータパケットのＮ回送信されたデータの中に破損されたデータがあると端末が判断した場合、破損されたデータの情報の一部またはすべてがそのリソースが横取りされる（ｐｒｅ−ｅｍｐｔｉｏｎ）ためにパンクチャリング（ｐｕｎｃｔｕｒｅ）される可能性があり、つまり、横取りされたリソース上の情報は他の情報でカバーされる。
【０１１５】
例えば、破損されたデータは１０個のＣＢを含むＣＢＧであり、当該破損されたデータパケットは２つの場合がある：第１の場合：当該ＣＢＧＧ内のすべての情報は他の情報でカバーされる。すなわち、当該ＣＢＧに含まれる１０個のＣＢのすべてが他の情報でカバーされる。第２の場合：当該ＣＢＧ内の一部の情報が他の情報でカバーされ、たとえば、当該ＣＢＧ内の５つのＣＢだけが他の情報でカバーされる。別の例では、破損されたデータは、送信されたＣＢＧが占有する特定のシンボル内の破損されたデータであり、たとえば、当該シンボルは他の情報で横取りされ、たとえば、当該ＣＢＧの送信に３つのシンボルを占有すると、３つのシンボルのすべてのＣＢＧ情報が破損するか、１つまたは２つのシンボルのＣＢＧ情報のみが破損する。また、対応する１つまたは複数のシンボルが端末に通知されると、端末は、マッピング規則の下で、ＣＢＧの情報のどの部分が破損しているかを判断できる。
【０１１６】
任意の選択で、ダウンリンク制御チャネルに第１の指示フィールドが含まれ、第１の指示フィールドは、最初に送信された１つの伝送ブロック（ＴＢ）が分割されたコードブロックグループ（ＣＢＧ）のうち、どのＣＢＧがダウンリンク制御チャネルによってスケジューリングされた共有チャネルで再送信されるべきかを示す（すなわち、当該ダウンリンク制御チャネルによってスケジューリングされた共有チャネルに含まれるＣＢＧを示す）。このように、端末は、ダウンリンク制御チャネルに含まれる第１の指示フィールドに基づいて、１つのＴＢの最初送信の再に分割されたコードブロックグループ（ＣＢＧ）のうちの、共有チャネルで再送信されるＣＢＧを決定できる。
【０１１７】
再送信されるべきＣＢＧを示す第１の指示フィールドは、ＣＢＧの位置、ＣＢＧが再送信されるかどうかを含むことができ、たとえば、各ＣＢＧは、当該ＣＢＧの位置でのＣＢＧが再送信されるかどうかを示す１ビットの第１の指示フィールドに対応すると、Ｍ個のＣＢＧに分割されたＴＢのフィールドを示すＭビットが必要である。任意の選択で、１つのＴＢは１つの第１の指示フィールドに対応でき、チャネルで送信されたＡ項のＴＢがあれば、Ａ* Ｍビットの第１の指示フィールドが必要である。ここで、[*]は乗算を示す。
【０１１８】
例えば、たとえば、ダウンリンク制御チャネルに第１の指示フィールドが含まれ、ＴＢ１が固定数４つのＣＢＧに分割される場合、各ビットが１のＣＢＧに対応する第１の指示フィールドには４ビットがある。端末は、スロット１は、１つの在共有チャネルでのＴＢ１の初期伝送をスケジューリングするためのダウンリンク制御チャネルを受信する。ＨＡＲＱプロセス番号０は、ダウンリンク制御チャネルで示される。すなわち、当該ＴＢ１に対応するＨＡＲＱプロセス番号は０である。当該ダウンリンク制御チャネル内の第１の指示フィールドの４ビットは[００００]である（[０]は初期伝送を示し、[１]は再送信を示す）。すなわち、当該ＴＢ１が４つのＣＢＧに分割されることを示す。すなわち、ＣＢＧ１、ＣＢＧ２、ＣＢＧ３およびＣＢＧ４は最初に送信される。例えば、端末がスロット３で１つのダウンリンク制御チャネルを受信し、当該ダウンリンク制御チャネルによって示されるＨＡＲＱプロセス番号が０であり、初期伝送のＴＢ１のＨＡＲＱプロセス番号と同じであり、４ビットの第１の指示フィールドは[０１０１]である。したがって、第１の指示フィールドは、ＣＢＧ２とＣＢＧ４が今回に再送信さることを示す。つまり、スロット３でのダウンリンク制御チャネルは、当該ＴＢ１の再送信をスケジューリングするためのダウンリンク制御チャネルである。再送信されるのは、当該ＴＢ１のＣＢＧ２およびＣＢＧ４である。
【０１１９】
本発明の実施形態では、第１の指示フィールドは、特に以下の場合に存在するか有効である：第１の場合、第１の指示フィールドは、再送信をスケジューリングするためのダウンリンク制御チャネルにおいてのみ存在するか、または有効である。または第２の場合、第１の指示フィールドは、端末がＣＢＧでデータを送信するように構成される場合存在するか有効である。または第３の場合、第１の指示フィールドは、いずれかのダウンリンク制御チャネルにおいても存在するか、または有効である。
【０１２０】
第１の場合、第１の指示フィールドは、再送信をスケジューリングするためのダウンリンク制御チャネルにおいてのみ存在するか、または有効である。つまり、第１の指示フィールドは、初期伝送をスケジューリングするためのダウンリンク制御チャネルにおいて存在しないか、または有効ではない。前記無効とは、当該ビットフィールドが予約されており（ｒｅｓｅｒｖｅｄ）、端末による、当該ビットフィールドの特定の指示情報に対する解析が要らないことである。有効である場合、当該第１の指示フィールドには、端末による解析が必要とする、当該ビットフィールドの特定の指示情報が含まれる。前記第１の指示フィールドが再送信をスケジューリングするためのダウンリンク制御チャネルのみに存在し、再送信および初期伝送をスケジューリングするためのダウンリンク制御チャネルは、異なるダウンリンク制御情報（Ｄｏｗｎｌｉｎｋ Ｃｏｎｔｒｏｌ Ｉｎｆｏｒｍａｔｉｏｎ， ＤＣＩ）フォーマット（たとえば、ＤＣＩのビット数が異なる）を使用することを意味する。
【０１２１】
第２の場合、第１の指示フィールドは、端末がＣＢＧでデータを送信するように構成される（たとえば、再送信およびフィードバック）とき、存在するか、有効である。つまり、端末がＣＢＧでデータを送信するように構成されていないとき、すなわち、ＴＢでデータを送信するように構成されている場合、第１の指示フィールドは存在しない。任意の選択で、データがＣＢＧで送信される前に、端末は、設定されたシグナリングｃを受信し、ＣＢＧの再送信を開始するかを決定する。ＣＢＧの再送信を開始すると、ＣＢＧでデータを再送信する。ＣＢＧの再送信を開始しないと判断すれば、ＴＢでデータを再送信する。当該設定されたシグナリングは、上位層シグナリング、またはダウンリンク制御チャネルで送信される指示情報である。
【０１２２】
第３の場合、第１の指示フィールドは、いずれかのダウンリンク制御チャネルにおいても存在するか、または有効である。つまり、前記ダウンリンク制御チャネルが初期伝送をスケジューリングするか、再送信をスケジューリングするかとに関係せずに、第１の指示フィールドを含む、または第１の指示フィールドが有効であり、同じＤＣＩフォーマットをしようできる。
【０１２３】
本発明の実施形態では、端末は、ダウンリンク制御チャネルを受信した後、当該ダウンリンク制御チャネルが再送信をスケジューリングするためのダウンリンク制御チャネルであるかどうかを判断する必要がある。１の実施では、端末は、次のようにダウンリンク制御チャネルが再送信をスケジューリングするためのダウンリンク制御チャネルであるかどうかを決定する：ダウンリンク制御チャネルに使用されるダウンリンク制御情報ＤＣＩフォーマットに基づいて決定する。または、ダウンリンク制御チャネルに使用される無線ネットワーク一時的識別子（Ｒａｄｉｏ Ｎｅｔｗｏｒｋ Ｔｅｍｐｏｒｙ Ｉｄｅｎｔｉｔｙ， ＲＮＴＩ）に基づいて決定する。または、ダウンリンク制御チャネル内のハイブリッド自動再送要求（ＨＡＲＱ）プロセス番号および新しいデータ指示フィールドに基づいて決定する。または、ダウンリンク制御チャネルに再送信される少なくとも１つのＣＢＧを示す第１の指示フィールドが含まれると、ダウンリンク制御チャネルが再送信をスケジューリングすると決定する。
【０１２４】
端末によって受信されたダウンリンク制御チャネルが初期伝送のデータパケットをスケジューリングする場合、当該初期伝送のデータパケットは、データパケットの後続の再送信とマージするために端末のバッファ（ｂｕｆｆｅｒ）に配置される。そして、端末によって受信されたダウンリンク制御チャネルが再送信をスケジューリングするためのダウンリンク制御チャネルである場合、端末は、特に次の方式の少なくとも１つで、ダウンリンク制御チャネルに基づいて、ダウンリンク制御チャネルによってスケジューリングされた再送信されたデータパケットの、Ｎ回送信されたデータの中に破損データがあるかどうかを判断する：
【０１２５】
方式１：前記端末は、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを受信すると、前記端末は、前記ダウンリンク制御チャネルによってスケジューリングされた再送信されたデータパケットのＮ回の送信されたデータの中に破損されたデータがあると決定する。
【０１２６】
特定の実装形態では、端末が、データパケットのｉ番目の送信のためのＡＣＫ／ＮＡＣＫ情報をフィードバックする前に、当該データパケット内の情報内の一部または全部をスケジューリングするダウンリンク制御チャネルを受信するとき、端末は、データパケットのｉ番目の送信および/またはｉ番目の送信前に送信されたデータの中に破損されたデータがあると判断する。端末はデータのどの部分が破損しているかを判断する。または、ダウンリンク制御チャネルに第１の指示フィールドが含まれると、端末は、破損されたデータが、データパケットのｉ番目の送信および/またはｉ番目の送信前の送信において、第１の指示フィールドによって示される再送信されたＣＢＧの位置に対応するＣＢＧとして判断する。ここで、iは１より大きい整数です。
【０１２７】
例えば、ダウンリンク制御チャネルに第１の指示フィールドが含まれ、１つのＴＢ固定的に、ＣＢＧ１、ＣＢＧ２、ＣＢＧ３、およびＣＢＧ４を含む４つのＣＢＧに分割されるため、第１の指示フィールドには４ビットがある。端末は、スロット１で、１つの共有チャネル上のＴＢ１の初期伝送をスケジューリングするためのダウンリンク制御チャネルを受信する。当該ＴＢ１に対応するＨＡＲＱプロセス番号は０であり、当該ダウンリンク制御チャネル内の第１の指示フィールドの４ビットは[００００]である（[０]は初期伝送を示し、[１]は再送信を示す）。すなわち、ＴＢ１の４つすべてのＣＢＧが最初に送信される。例えば、端末がスロット３で１つのダウンリンク制御チャネルを受信し、当該ダウンリンク制御チャネルによって示されるＨＡＲＱプロセス番号が０であり、当該ＴＢ１のＨＡＲＱプロセス番号と同じであり、４ビットの第１の指示フィールドは[０１０１]である。したがって、第１の指示フィールドは、ＣＢＧ２とＣＢＧ４が今回に再送信さることを示す。スロット３でのダウンリンク制御チャネルは、当該ＴＢ１の再送信をスケジューリングするためのダウンリンク制御チャネルであることを、意味する。再送信されるのは、当該ＴＢ１のＣＢＧ２およびＣＢＧ４である。
【０１２８】
例えば、端末は、タイムスロット４で、当該ＴＢ１のＡＣＫ／ＮＡＣＫフィードバック情報をフィードバックするので、端末が、例えば、タイムスロット４の前に、たとえば、スロット３でＴＢ１の再送信をスケジューリングするためのダウンリンク制御チャネルを受信する。端末は、ＴＢ１のリソースが他の送信によって占有されているため、当該ＴＢ１の前のデータがパンクチャリング（ｐｕｎｃｔｕｒｅ）されたと、暗黙的に決定できる。すなわち、データの一部が破損している。端末は、ＣＢＧ間の相関関係に従って、どのＣＢＧが破損しているかを判断できる。または、端末は、タイムスロット３で受信したダウンリンク制御チャネルの第１の指示フィールドによって示される再送信のＣＢＧを破損されたＣＢＧとして判断できる。
【０１２９】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示す。
【０１３０】
特定の実装形態では、各ＴＢに対応する１ビットの指示情報があり、現在送信されているＴＢが１つしかない場合、第２の指示フィールドは１ビットの情報になる。そして、現在送信されている複数のＴＢ、例えば、Ａ個のＴＢがある場合、第２の指示フィールドはＡビットの情報である。複数のＴＢがある場合、それぞれのＴＢの第２の指示フィールドは、互いに隣接して指示フィールドを構成するか、または互いに分離して２つの第２の指示フィールドを構成することができる。第２の指示フィールドは１ビットの情報になる。第２の指示フィールドおよび第１の指示フィールドは、隣接するビット位置に配置することができ、または互いに分離することができる。
【０１３１】
例えば、端末は、スロット１で１つの共有チャネルでのＴＢ１の初期伝送をスケジューリングするためのダウンリンク制御チャネルを受信する。スロット３での、当該ＴＢ１の再送信をスケジューリングするためのダウンリンク制御チャネルには、１ビットの第２の指示フィールドが含まれる。たとえば、当該１ビットの第２の指示フィールドを[１]または[Ｔｒｕｅ]に設定する場合、ＴＢ１のＮ回の送信されたデータの中に破損されたデータがあることを示す。当該１ビットの第２の指示フィールドを[０]または[Ｆａｌｓｅ] に設定する場合、ＴＢ１のＮ回の送信されたデータの中に破損されたデータがないことを示す。逆の場合も同様である。すなわち、当該１ビットの第２の指示フィールドを[１]または[Ｔｒｕｅ] に設定する場合、ＴＢ１のＮ回の送信されたデータの中に破損されていないデータがあることを示す。[０]または[Ｆａｌｓｅ] に設定する場合、
当該ＴＢ１のＮ回の送信されたデータの中に破損されたデータがあると判断した場合、端末は、ＣＢＧ間の相関に従って、どのＣＢＧが破損されたかを判定することができる。または、端末は、タイムスロット３で受信したダウンリンク制御チャネルの第１の指示フィールドによって示される再送信されたＣＢＧを、破損されたＣＢＧとして決定することができる。
【０１３２】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示す。
【０１３３】
特定の実装形態では、特定の実装形態では、各ＴＢはＭビットの第２の指示フィールドに対応し、現在送信されているＴＢが１つしかない場合、第２の指示フィールドはＭビットの指示情報である。そして、現在送信されている複数のＴＢ、例えば、Ａ個のＴＢがある場合、前記第２の指示フィールドは、Ａ*Ｍビットの指示情報である。複数のＴＢがある場合、それぞれのＴＢの第２の指示フィールドは、互いに隣接して指示フィールドを構成するか、または互いに分離して２つの第２の指示フィールドを構成することができる。前記第２の指示フィールドおよび前記第１の指示フィールドは、隣接するビット位置に配置することができ、または互いに分離することができる。
【０１３４】
例えば、現在送信されている１つのＴＢがあり、各ＴＢはＭ個のＣＢＧを含み、第２の指示フィールドはＭビットを含む。たとえば、Ｍビットの第２指示フィールドの各ビットはＣＢＧの１つに対応し、ＣＢＧに対応する第２指示フィールドの１ビットが「０」に設定されると、最後に送信されたＣＢＧが他の情報によって破損していることを示す。すなわち、最後に送信されたＣＢＧは、その後の再送信とマージできない。ＣＢＧに対応する２番目の指示フィールドのビットが「１」に設定されている場合、最後に送信されたＣＢＧが破損していないこと、つまり、最後に送信されたＣＢＧがその後の再送信とマージできることを示す。
【０１３５】
第２の指示フィールド内のすべてのＭビットが「０」である場合、ＴＢ内の各ＣＢＧが他の情報によって破損していること、すなわち、最後に送信されたＣＢＧのいずれも後続の再送信に対応するＣＢＧとマージできないことを示す。つまり、最後に送信されたＴＢは、次に再送信されるＴＢとマージできない。すべてのＭビットが「１」の場合、送信されたＴＢ全体が他の情報によって破損していないこと、つまり、最後に送信されたＴＢ内のすべてのＭ個の最後に送信されたＣＢＧのいずれも後続の再送信に対応するＣＢＧとマージできることを示す。すなわち、当該ＴＢに含まれる最後に送信されたＭ個のＣＢＧのいずれも後続の再送信のＴＢとマージできる。または第２の指示フィールドの１ビットが「１」に設定されている場合、ＣＢＧが破損していることを示し、２番目の指示フィールドのビットが「０」に設定されている場合、ＣＢＧが破損していないことを示す。
【０１３６】
例えば、１つのＴＢ１は、固定てきに、ＣＢＧ１、ＣＢＧ２、ＣＢＧ３、およびＣＢＧ４を含む４つのＣＢＧに分割され、端末は、スロット１でＴＢ１の初期伝送をスケジューリングするためのダウンリンク制御チャネルを受信し、スロット３でスＴＢ１の再送信をケジューリングするためのダウンリンク制御チャネルに含まれる４ビットの第２の指示フィールドを受信する。たとえば、４ビットの第２の指示フィールドが[０１００]，であれば、端末は、最後に送信されたＴＢ１に破損されたデータがあると判断し、破損されたデータは最後に送信されたＣＢＧ２である。
【０１３７】
端末は、スロット３でのダウンリンク制御チャネルによってスケジューリングされた共有チャネルにおいて受信した再送信されたＣＢＧ２の情報を、タイムスロット１での最初に送信されたＴＢ１で受信された、バッファに格納されたＣＢＧ２の情報とマージしない。これにより、破損されたデータが再送信データに影響を与えないようにし、端末は、バッファに保存され、タイムスロット１で最初に送信されたＴＢ１で受信したＣＢＧ２の情報をさらにクリアして、バッファのこの部分を解放できる。
【０１３８】
方式４：前記端末は、前記ダウンリンク制御チャネルによってスケジューリングされた共有チャネルを受信する。前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【０１３９】
前記方式１または前記方式２で前記ダウンリンク制御チャネルによってスケジューリングされた再送信されたデータパケットのＮ回の送信されたデータの中に破損されたデータがあると決定する場合、さらに、前記ダウンリンク制御チャネルに前記第１の指示フィールドが含まれると、前記端末は、前記ダウンリンク制御チャネル内の前記第１の指示フィールドによって示される再送信されたＣＢＧのＮ回の送信されたデータの中に破損されたデータがあると決定する。または、端末は、再送信されたデータパケットのＮ回の送信されたデータの中に破損されたデータの有無を判断する。たとえば、相関検出により判断する。すなわち、現在受信された再送信情報を、対応する保存された最後に送信された情報と関連付け、高い相関がある場合、再送信情報が破損されていないと判断し、そうしないと、破損されたと判断する。これにより、１つのＴＢに含まれる複数のＣＢＧのうちの、どのＣＢＧが破損しているか、またはどのＣＢＧのうちの、ＣＢまたはシンボルのどの部分が破損しているかを判断できる。
【０１４０】
前記方式２または前記方式３を使用する場合、第２の指示フィールドは、特に以下の場合に存在するか有効である：第１の場合、前記第２の指示フィールドは、再送信をスケジューリングするためのダウンリンク制御チャネルにおいてのみ存在するか、または有効である。または第２の場合、前記第２の指示フィールドは、端末がＣＢＧでデータを送信するように構成される場合存在するか有効である。または第３の場合、前記第２の指示フィールドは、いずれかのダウンリンク制御チャネルにおいても存在するか、または有効である。
【０１４１】
第１の場合、前記第２の指示フィールドは、再送信をスケジューリングするためのダウンリンク制御チャネルにおいてのみ存在するか、または有効であり、つまり、第２の指示フィールドは、初期伝送をスケジューリングするためのダウンリンク制御チャネルにおいて存在しないか、または有効ではない。前記無効とは、当該ビットフィールドが予約されており（ｒｅｓｅｒｖｅｄ）、端末が当該ビットフィールドの特定の指示情報を解析する必要がないことを示す。有効である場合、端末は、当該ビットフィールドの特定の指示情報を解析する必要があることを示す。前記第２の指示フィールドが再送信をスケジューリングするためのダウンリンク制御チャネルのみに存在し、再送信および初期伝送をスケジューリングするためのダウンリンク制御チャネルが異なるＤＣＩフォーマット（たとえば、ＤＣＩのビット数が異なる）を使用することを意味する。
【０１４２】
第２の場合、第２の指示フィールドは、端末がＣＢＧでデータを送信するように構成される場合存在するか、有効であり、つまり、端末がＣＢＧでデータを送信するように構成されていないとき、すなわち、ＴＢでデータを送信するだけで、第２の指示フィールドは存在しないか、または第２の指示フィールドが無効になる。
【０１４３】
第３の場合、第２の指示フィールドは、いずれかのダウンリンク制御チャネルにおいても存在するか、または有効である。つまり、前記ダウンリンク制御チャネルは、スケジューリング初期伝送または再送信のいずれかをスケジューリングするかとに関係せず、第２の指示フィールドを含むか、または第２の指示フィールドが有効であり、したがって、同じＤＣＩフォーマットを使用することをできる。
【０１４４】
前記方式４を使用する場合、第３の指示フィールドがダウンリンク制御チャネルによってスケジューリングされた再送信されたデータパケットの、Ｎ回の送信されたデータの中に破損されたデータの有無を示すとき、以下のいくつかの状況がある。
【０１４５】
第１の状況では、第３の指示フィールドは、１つの最初に送信されたＴＢが分割されたＣＢＧの各ＣＢＧのＮ回の送信されたデータの中に破損されたデータの有無を示す。ここで、少なくともＡ*Ｍビットの第３の指示フィールドが必要である。ＡはＴＢの数、Ｍは各ＴＢが分割されるＣＢＧの数である。また、ＭビットのそれぞれがＣＢＧの１つに対応する。たとえば、ＴＢがＭ個のＣＢＧに分割されている場合、当該ＴＢ内の各ＣＢＧのＮ回送信されたデータに破損されたデータがあるかどうかを示すために、Ｍビットの第３の指示フィールドが必要とする。
【０１４６】
第２の状況では、前記第３の指示フィールドは、以下の２つの場合において、前記ダウンリンク制御チャネルによってスケジューリングされた再送信されたＣＢＧのＮ回の送信されたデータの中に破損されたデータの有無を示す。
【０１４７】
第１の場合、ダウンリンク制御チャネルに第１の指示フィールドが含まれば、第１の指示フィールドに基づいてどのＣＢＧが再送信されるかが決定され得る。第３の指示フィールドは、１ビットであり、前記第１の指示フィールドによって示されるすべての再送信されたＣＢＧに対応する、Ｎ回の送信されたＣＢＧに破損されたデータがあるかどうかを示す。または第３の指示フィールドは、第１の指示フィールドとは別に、Ａ*Ｍビットを含む。ＡはＴＢの数であり、Ｍは各ＴＢが分割されるＣＢＧの数であり、Ｍビットのそれぞれは１つのＣＢＧに対応する。このとき、第３の指示フィールドは、最初に送信された各ＴＢが分割されているＣＢＧのそれぞれに対応するＮ回の送信されたデータの中に破損されたデータの有無を、示す。すなわち、第１の指示フィールドによってしめされる再送信のＣＢＧのみに限定せず、最初に送信されたＴＢに含まれるＣＢＧのいずれか１つを示すことができる。
【０１４８】
第２の場合、前記ダウンリンク制御チャネルが第１の指示フィールドを含まない場合、第３の指示フィールドは、どのＣＢＧが再送信されるかを示す指示フィールドをさらに含むことができ、たとえば、指示フィールドはＡ*Ｍビットを含むことができる。ＡはＴＢの数であり、Ｍは各ＴＢが分割されるＣＢＧの数であり、ＭビットトのそれぞれはＣＢＧの１つに対応する。または ビットはＣＢＧ番号に対応する。Ｔは、ＴＢが分割されているＣＢＧの数、またはＣＢＧの最大数である。
【０１４９】
第３の状況では、前記第３の指示フィールドは、以下の２つの場合において、前記ダウンリンク制御チャネルによってスケジューリングされた再送信のＣＢＧに含まれるＣＢのうち、破損されたデータが含まれるＮ回の送信されたＣＢを示す。
【０１５０】
第１の場合、前記ダウンリンク制御チャネルに第１の指示フィールドが含まれば、第１の指示フィールドに基づいてどのＣＢＧが再送信されるかが決定され得る。第３の指示フィールドは、当該再送信されたＣＢＧに含まれる各ＣＢがその前のＮ回の送信において、破損されたデータがあるかどうかを示す指示情報を含む必要がある。たとえば、１つのＣＢが１ビットの指示情報に対応し、Lビットの指示情報が必要となる。Lは１つのＣＢＧに含まれるＣＢの数または最大のＣＢの数である。または、第３の指示フィールドは、第１の指示フィールドとは別に、Ａ*Ｍビットを含む。ＡはＴＢの数であり、Ｍは各ＴＢが分割されるＣＢＧの数であり、Ｍビットのそれぞれは１つのＣＢＧに対応し、最初に送信された各ＴＢが分割されているＣＢＧのそれぞれに対応するＮ回の送信されたデータの中に破損されたデータの有無を示す。すなわち、第１の指示フィールドによってしめされる再送信のＣＢＧのみに限定せず、最初に送信されたＴＢに含まれるＣＢＧのいずれか１つを示すことができる。そして、上述の各ＣＢＧのLビット情報を使用して、当該ＣＢＧ内のどのＣＢに破損されたデータがあるかを示す。
【０１５１】
第２の場合、前記ダウンリンク制御チャネルが第１の指示フィールドを含まないと、第３の指示フィールドは、どのＣＢＧが再送信されるかを示す指示フィールドをさらに含むことができ、たとえば、Ａ*Ｍビット，ＡはＴＢの数であり、Ｍは各ＴＢが分割されるＣＢＧの数であり、ＭビットトのそれぞれはＣＢＧの１つに対応する。または ビットはＣＢＧ番号に対応する。Ｔは、ＴＢが分割されているＣＢＧの数、またはＣＢＧの最大数である。
【０１５２】
第４の状況では、前記第３の指示フィールドは、次の２つの場合において、前記ダウンリンク制御チャネルによってスケジューリングされた再送信されたＣＢＧのＮ回の送信によって占有されたシンボルのうちの、破損されたデータが存在するシンボルを示す。
【０１５３】
第１の場合、前記ダウンリンク制御チャネルに第１の指示フィールドが含まれば、第１の指示フィールドに基づいてどのＣＢＧが再送信されるかを決定することができる。第３の指示フィールドは、１つのＣＢＧのＮ回の送信されたデータによって占有されたシンボルのどれに破損されたデータがあるかを示す指示情報を含む。たとえば、１つのシンボルは１ビットの指示情報に対応し、Ｋビットの指示情報が必要となる。Ｋは、１つのＣＢＧの前のＮ回の送信に占有されたシンボルの数または最大数である。または、第３の指示フィールドは、第１の指示フィールドとは別に、Ａ*Ｍビットを含む。ＡはＴＢの数であり、Ｍは各ＴＢが分割されるＣＢＧの数であり、Ｍビットのそれぞれは１つのＣＢＧに対応し、最初に送信された各ＴＢが分割されているＣＢＧのそれぞれに対応するＮ回の送信されたデータの中に破損されたデータの有無を示す。すなわち、第１の指示フィールドによってしめされる再送信のＣＢＧのみに限定せず、最初に送信されたＴＢに含まれるＣＢＧのいずれか１つを示すことができる。そして、ＣＢＧそれぞれに対応するＫビット情報を使用して、当該ＣＢＧのＮ回の送信されたデータによって占有されたシンボルのどれに破損されたデータがあるかを示す。
【０１５４】
第２の場合、前記ダウンリンク制御チャネルが第１の指示フィールドを含まない場合、第３の指示フィールドは、どのＣＢＧが再送信されるかを示す指示フィールドをさらに含むことができ、たとえば、Ａ*Ｍビット，ＡはＴＢの数であり、Ｍは各ＴＢが分割されるＣＢＧの数であり、ＭビットトのそれぞれはＣＢＧの１つに対応する。または ビットはＣＢＧ番号に対応する。Ｔは、ＴＢが分割されているＣＢＧの数、またはＣＢＧの最大数である。
【０１５５】
第５の状況では、前記第３の指示フィールドは、前記ダウンリンク制御チャネルによってスケジューリングされた再送信されたＣＢＧに含まれるＣＢのＮ回の送信によって占有されたシンボルのうちの、破損されたデータが存在するシンボルを示す。このとき、破損されたデータが存在する状況は、上記第３および４の状況の組み合わせであり、詳しくは、上記第の状況に含まれる２つの場合および第４の状況に含まれる２つの場合を参照することができ、その繰り返しの説明はここでは省略する。
【０１５６】
上記の実施形態では、前記第３の指示フィールド、および前記共有チャネルで運ばれる再送信情報は、別々にエンコードされ、および/または、前記第３の指示フィールドは、前記共有チャネルで運ばれるＣＢＧの１つの固定のＣＢＧに対応するリソースにおいて、パンクチャリングまたはレートマッチング方式で伝送される。前記第３の指示フィールドは、重複のエンコード、単一のエンコード（ｓｉｍｐｌｅｘ ｅｎｃｏｄｉｎｇ）、リードマラー（ＲＭ，Ｒｅｅｄ−Ｍｕｌｌｅｒ）エンコードなどを使用することができる。
【０１５７】
図３は、本発明の一実施形態による送信チャネルプロセスを示す。図３に示されるように、送信チャネルプロセスは、伝送ブロック（ＴＢ）を処理するための第１のプロセスを含む：ＴＢにＣＲＣが追加された３０１、ＴＢがＣＢに分割され、ＣＢにＣＲＣが追加された３０２、チャンネルエンコーディング３０３、レートマッチング３０４。コードブロックグループインデックスＣＢＧ ｉｎｄｅｘに従って、ＣＢをグルーピングしてＣＢＧに連結される３０５。第２のプロセスは第３の指示フィールドを処理するためのプロセスである：第３の指示フィールドを生成する３０６、レートマッチング３０７、チャンネルエンコーディング３０８、および第１のプロセスおよび第２のプロセスで取得された情報は連結（Ｃｏｎｃａｔｅｎａｔｉｏｎ）される３０９。直交振幅変調３１０、物理リソースにマッピングする３１１など。ここで、ここで、第１のプロセスと第２のプロセスで得られた情報３０９をさらに連結して、第１の指示フィールドと第１の指示フィールドに対応するＣＢＧに含まれるＣＢ間のマッピング関係を反映することができる。すなわち、コードブロックＣＢ１，１３１２……ＣＢＮ１，１３１３，……，ＣＢ１，Ｍ３１４……ＣＢＮＭ，１３１５を含む。ここで、各ＣＢx,yのxは当該Ｃの番号を表し、yは当該ＣＢに対応するＣＢＧの番号を表し、たとえば、コードブロックＣＢ１，１３１２に対応するリソースには１つの第３の指示フィールドが含まれる。 
【０１５８】
特定の実装形態では、前記第３の指示フィールドは、前記共有チャネルで運ばれるＣＢＧの１つの固定のＣＢＧに対応するリソースにおいて、伝送される。たとえば、最初または最後１つのＣＢＧに対応するリソースにおいて、具体的に、最初のＣＢＧに含まれるＣＢ内の１つの固定のＣＢに対応するリソースにおいて、伝送される。たとえば、最初または最後１つのＣＢ、例えば、たとえば、第３の指示フィールドは、最初のＣＢＧに含まれる最初のＣＢに対応するリソースにおいて伝送され、図３に示すコードブロックＣＢ１，１３１２に対応するリソースにおいて伝送される。当該ＣＢに対応するリソースにおいてパンクチャリングすることにより伝送される場合、ＣＢのデータは第３の指示フィールドのサイズに関係なく送信され、データは、ＣＢに対応するリソース全体においてＣＢを送信できるようにエンコードおよびレートマッチングされる。第３の指示フィールドが実際にＣＢ内のデータに対応するリソースにマッピングされると、データはパンクチャリングされ、すなわち、この部分のデータをカバーする。第３の指示フィールドがレートマッチングにより当該ＣＢに対応するリソースで送信される場合、エンコードおよびレートマッチングされるとき、当該ＣＢに対応するリソース上、第３の指示フィールドおよびＣＢデータが同時に存在するため、第３の指示フィールドおよびＣＢデータそれぞれがエンコードおよびレートマッチングされる。すなわち、ＣＢデータおよび第３の指示フィールドは、当該ＣＢに対応するリソースの異なる部分においてそれぞれ送信される。
【０１５９】
前記方式４を使用する場合、端末が前記第３の指示フィールドを取得する前に、端末は、次のように、第３の指示フィールドが存在するかどうかを判定する。共有チャネルで再送信を実行する場合、第３の指示フィールドが存在すると判断する。または、ダウンリンク制御チャネルに少なくとも１ビットの第４の指示フィールドがあり、第４の指示フィールドは、共有チャネルに第３の指示フィールドがあるかどうかを示す。
【０１６０】
特定の実装形態では共有チャネルで再送信（再送信の判断は上記のように）を実行すると決定する場合、第３の指示フィールドの存在は、以下の実施において決定され得るがそれに限定されることではない：再送信をスケジューリングするためのダウンリンク制御チャネルに基づいて決定する。たとえば、ダウンリンク制御チャネルが第１の指示フィールドを含む場合、第１の指示フィールドが少なくとも１つのＣＢＧが再送信されることを示すとき、前記共有チャネルは再送信を実行すると判断できるため、第３の指示フィールドがあると決定できる。
【０１６１】
ダウンリンク制御チャネルに少なくとも１ビットの第４の指示フィールドがあり、第４の指示フィールドは、次のように、共有チャネルに第３の指示フィールドがあるかどうかを示すことができるが、それに限定しない：たとえば、ダウンリンク制御チャネルは１ビットの第４の指示フィールドを含み、「０」に設定されると、ダウンリンク制御チャネルが第３の指示フィールドを含まないことを示す。また、「１」に設定される場合、ダウンリンク制御チャネルに第３の指示フィールドが含まれることを示す。端末が受信したダウンリンク制御チャネルの１ビットの第４の指示フィールドが「１」である場合、共有チャネルに第３の指示フィールドが含まれていると判断され、第３の指示フィールドが受信される。そして、端末によって受信されたダウンリンク制御チャネル内の１ビットの第４の指示フィールドが「０」である場合、共有チャネルは第３の指示フィールドを含まないと判定される。
【０１６２】
第３の指示フィールドがダウンリンク制御チャネルに存在すると端末が判断した場合、次のように、第３の指示フィールドがより多くのビットの指示情報を含むかどうかを判断する：第３の指示フィールドに少なくとも１ビットの指示情報が含まれ、１ビットの指示情報は、第３の指示フィールドにより多くのビットの指示情報が含まれるかどうかを示す。例えば、第３の指示フィールドの１ビット指示情報が「１」に設定される場合、第３の指示フィールドにさらに多くの指示情報ビットが含まれていることを示す。および第３の指示フィールドの１ビット指示情報が「０」に設定すると、第３の指示フィールドにこれ以上のビットの指示情報が含まれないことを示す。または、第３の指示フィールドの１ビット指示情報が「１」に設定される場合、第３の指示フィールドにこれ以上のビットの指示情報が含まれていないことを示す。および第３の指示フィールドの１ビット指示情報が「０」に設定される場合、第３の指示フィールドに指示情報のビットがより多く含まれていることを示す。
【０１６３】
端末は、まず、第３の指示フィールド内の１ビットの指示情報に従って、第３の指示フィールドが他の指示情報をさらに含むかどうかを判定する。他の指示情報がないと判断された場合、第３の指示フィールドには１ビットの指示情報のみが含まれる。そして、他の指示情報があると判断された場合、端末は、他の指示情報を含む第３の指示フィールドのサイズに従って、第３の指示フィールドで他の指示情報を受信する。当該第３の指示フィールド内の１ビットの指示情報および他の指示情報は別々にエンコードされることに留意されたい。
【０１６４】
例えば、スロット１において端末によって受信されるダウンリンク制御チャネルは、１ビットの第４の指示フィールド「０」を含むので、端末は、ダウンリンク制御チャネルが第３の指示フィールドを含まないと決定する。最初に送信されたＴＢ１を直接受信する。ＴＢ１にはＣＢＧ１、ＣＢＧ２、ＣＢＧ３、およびＣＢＧ４が含まれる。たとえば、スロット３でのダウンリンク制御チャネルの第１の指示フィールドは、ＣＢＧ２とＣＢＧ４が再送信されることを示す。そして、スロット３において端末が受信する、ＴＢ１のＣＢＧの再送信をスケジュールするためのダウンリンク制御チャネルは、１ビットの第４指示フィールド「１」を含むと、端末は、ダウンリンク制御チャネルが第３の指示フィールドを含むと判断する。および第３の指示フィールドに従って再送信されたＣＢＧを受信する。たとえば、第３の指示フィールドによって示された再送信のＣＢＧが最後に送信されている間に破損した場合、当該再送信されたＣＢＧは最後に受信された破損ＣＢＧとマージされない。
【０１６５】
特に、端末は、第３の指示フィールドの固定ビット数に従って第３の指示フィールドを受信するか、または第３の指示フィールドの１ビットの指示情報についてまず解析し、当該１ビットの指示情報に基づいてさらに別の指示フィールドを受信するかどうかを決定する。そして、端末は、受信された第３の指示フィールドの指示情報、例えば、ビットごとに１つのＣＢＧに対応する４ビットの指示情報に従って、最後に送信されたＴＢ１のどのＣＢＧが破損情報を含むかを決定できる。さらに多くのビット情報を含むことができる。たとえば、各ＣＢがビットの１つに対応する場合、端末は最後に送信されたＴＢ１のどのＣＢが破損した情報を含むかを判断する。各伝送シンボルが情報の１ビットに対応する場合、端末は、最後に送信されたＴＢ１のどの伝送シンボルに破損情報が含まれているかを判断する。
【０１６６】
ダウンリンク制御チャネルに第４の指示フィールドが存在しない場合、端末は、デフォルトで共有チャネルで送信される第３の指示フィールドがあると想定し、例えば、デフォルトで常に最初のＣＢＧ内の固定のリソースにおいて第３の指示フィールドを受信する。
【０１６７】
上記の実施形態に加えて、端末による受信された再送信されたデータパケットの処理について以下に説明する。
【０１６８】
端末が再送信されたデータパケットを受信すると、端末のバッファにおいて、再送信されたデータパケットと同じＨＡＲＱプロセス番号で、Ｎ回送信されたデータパケットを検索することができ、再送信されたデータパケットのＮ回送信されたデータに破損データがない場合、端末は、再送信されたデータパケットを受信すると、再送信されたデータパケットをＮ回送信されたデータパケットとＨＡＲＱマージを行う。
【０１６９】
前記端末が破損されたデータがあると判断した場合、前記端末は、前記再送信されたデータパケットを、前記再送信されたデータパケットのＮ回の送信されたのうち受信した破損データとＨＡＲＱマージしない。たとえば、端末は、破損したデータがあると判断した場合、再送信されたデータパケットを、再送信されたデータパケットのＮ回送信されたデータのうち受信した破損データとＨＡＲＱマージしない。たとえば、再送信されたデータパケットが最後に送信されている間に破損した場合、１の実施として、端末は、バッファ内で最後に送信されたデータの中から破損したデータを解放（ｒｅｌｅａｓｅ）する。または、他の実施において、最後に破損したデータを現在受信した再送信データでカバーする。しかし、本発明の実施形態はこれらの２つの実施に限定されない。
【０１７０】
例えば、例えば、破損データがあると判断すると、端末は破損データに対し、以下のように動作することができる。たとえば、端末は、スロット１において、１つの共有チャネルでのＴＢ１の初期伝送をスケジューリングするための１つのダウンリンク制御チャネルを受信し、当該ダウンリンク制御チャネルによって示されるＨＡＲＱプロセス番号が０であり、すなわち、当該ＴＢ１に対応するＨＡＲＱプロセス番号が０である。当該ＴＢはデフォルトでＣＢＧ１、ＣＢＧ２、 ＣＢＧ３、およびＣＢＧ４に分割される。そして、端末はスロット３において共有チャネルで再送信されたＣＢＧ２およびＣＢＧ４の情報を受信するため、再送信されたＣＢＧ２およびＣＢＧ４の情報は、スロット１で受信されたバッファに格納された、最初に送信されＣＢＧ２およびＣＢＧ４の情報とマージされない。または、端末は、スロット１で受信されたバッファに格納された、最初に送信されたＣＢＧ２およびＣＢＧ４の情報をクリアし、バッファを解放する。このようにして、再送信されたデータパケットがＮ回送信されたデータのうち、破損したデータによって再送信されたデータパケットが影響を受けることを回避することができる。
【０１７１】
第２の実施形態
図４は、本発明の第２の実施形態に係るデータが破損しているかどうかを判断するための方法の概略フローチャートを示す。図４に示すように、この方法には、基地局の観点から次のステップが含まれる。
【０１７２】
ステップ４０１において、基地局は、端末に再送信をスケジューリングするためのダウンリンク制御チャネルを送信する。
【０１７３】
ステップ４０２において、基地局は、ダウンリンク制御チャネルを介して、端末にダウンリンク制御チャネルによってスケジューリングされた再送信されたデータパケットの、Ｎ回送信されたデータの中に破損データがあるかどうかを通知する。前記Ｎは１以上の整数である。
【０１７４】
本発明の実施形態では、基地局は、ダウンリンク制御チャネルを端末に送信し、その結果、端末は、ダウンリンク制御チャネルに基づいて、ダウンリンク制御チャネルによってスケジューリングされた再送信されたデータパケットの、Ｎ回送信されたデータの中に破損データがあるかどうかを判断し、したがって、伝送性能を改善する。
【０１７５】
本発明の第２の実施形態による方法は、端末によって実行されるプロセスが第１の実施形態で詳細に説明されたことを除いて、本発明の第１の実施形態による方法に対応することに留意されたい。本発明の第２の実施形態では、基地局によって実行されるプロセスについて説明するが、他の内容は、第１の説明を参照することができるため、ここでは繰り返しの説明は省略する。
【０１７６】
一実施形態では、ステップ４０２のデータパケットは、１つまたは複数の伝送ブロック（ＴＢ）または１つまたは複数のコードブロックグループ（ＣＢＧ）とすることができ、すなわち、データ送信は、１つのＴＢベースでおこなってもよいし、１つのコードブロックグループベースで行うことができる。
【０１７７】
本発明の実施形態では、破損されたデータは、ＣＢＧであるか、コードブロック（ＣＢ）であるか、ＣＢＧによって占有されているシンボルであることができる。
【０１７８】
基地局がデータパケットを端末に送信した後、当該データパケットの情報の一部または全部が他の送信によって横取りされているためにパンクチャリング（ｐｕｎｃｔｕｒｅ）された場合、すなわち、情報の一部または全部は他の情報でカバーされた場合、基地局は、端末にグ当該データの再送信をスケジューリンするためのダウンリンク制御チャネルを送信する。従って、端末に、ダウンリンク制御チャネルによってスケジューリングされた再送信されたデータパケットの、Ｎ回送信されたデータの中に破損データがあるかどうかを通知することができる。
【０１７９】
１つの実施態様として、ダウンリンク制御チャネルに第１の指示フィールドが含まれ、第１の指示フィールドは、最初に送信された１つの伝送ブロック（ＴＢ）が分割されたコードブロックグループ（ＣＢＧ）のうち、どのＣＢＧがダウンリンク制御チャネルによってスケジューリングされた共有チャネルにおいて再送信されるのかを示す。このようにして、第１の指示フィールドがダウンリンク制御チャネルに追加されることにより、共有チャネルで再送信されるＣＢＧを端末に通知する。
【０１８０】
任意の選択で、第１の指示フィールドは、特に以下の場合に存在するか有効である：第１の場合、第１の指示フィールドは、再送信をスケジューリングするためのダウンリンク制御チャネルにおいてのみ存在するか、または有効であり、または第２の場合、第１の指示フィールドは、端末がＣＢＧでデータを送信するように構成される場合存在するか、有効であり、または第３の場合、第１の指示フィールドは、いずれかのダウンリンク制御チャネルにおいても存在するか、または有効である。第２の実施形態による第１の指示フィールドに関する記載は、具体的に上記第１の実施形態を参照できるため、その繰り返しの説明はここでは省略する。
【０１８１】
１つの実施態様として、基地局は、次のおうに、端末に、ダウンリンク制御チャネルが再送信をスケジューリングするためのダウンリンク制御チャネルであるかどうかを判断できるようにする。具体的に、ダウンリンク制御チャネルに使用されるダウンリンク制御情報ＤＣＩフォーマットに基づいて決定する。または、ダウンリンク制御チャネルに使用される無線ネットワーク一時的識別子（ＲＮＴＩ）に基づいて決定する。または、ダウンリンク制御チャネル内のハイブリッド自動再送要求（ＨＡＲＱ）プロセス番号および新しいデータ指示フィールドに基づいて決定する。または、ダウンリンク制御チャネルに再送信される少なくとも１つのＣＢＧを示す第１の指示フィールドが含まれると、ダウンリンク制御チャネルが再送信をスケジューリングすると決定する。
【０１８２】
特定の実装形態では、前記基地局は、次の方式のうちの少なくとも１つで、前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知する：
【０１８３】
方式１：前記基地局が、前記ダウンリンク制御チャネルによってスケジューリングされた再送信されたデータパケットのＮ回の送信されたデータに対するＡＣＫ/ＮＡＣＫ情報を、フィードバックする前、前記ダウンリンク制御チャネルを送信したとき、前記端末に、前記ダウンリンク制御チャネルによってスケジューリングされた再送信されたデータパケットのＮ回の送信されたデータの中に破損されたデータがあると決定したことを通知する。
【０１８４】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示す。
【０１８５】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示す。
【０１８６】
方式４：前記基地局は、前記ダウンリンク制御チャネルによってスケジューリングされた共有チャネルを送信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【０１８７】
本発明のこの第２の実施形態における方式１、方式２、方式３および方式４は、上記第１の実施形態に係る方式１、方式２、方式３および方式４に対応することに留意されたい。詳しくは第１の実施形態の説明を参照することができるので、その繰り返しの説明はここでは省略する。
【０１８８】
本実施形態では、前記方式１または前記方式２で前記ダウンリンク制御チャネルによってスケジューリングされた再送信されたデータパケットのＮ回の送信されたデータの中に破損されたデータがあると決定する場合、さらに、前記ダウンリンク制御チャネルに前記第１の指示フィールドが含まれると、前記ダウンリンク制御チャネル内の前記第１の指示フィールドによって示される再送信されたＣＢＧのＮ回の送信されたデータの中に破損されたデータがあると決定する。
【０１８９】
本実施形態では、前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。
【０１９０】
本実施形態では、前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示す。
【０１９１】
前記第３の指示フィールド、および前記共有チャネルで運ばれる再送信情報は、別々にエンコードされ、および/または、前記第３の指示フィールドは、前記共有チャネルで運ばれるＣＢＧの１つの固定のＣＢＧに対応するリソースにおいて、パンクチャリングまたはレートマッチング方式で伝送される。
【０１９２】
前記方式４を使用する場合、前記基地局が前記第３の指示フィールドを生成する前に、さらに、前記基地局は、次のように、前記第３の指示フィールドの有無を判断する：前記共有チャネルが再送信を行うと判断すると、前記第３の指示フィールド「有」と判断し、または、前記ダウンリンク制御チャネルに少なくとも１ビットの第４の指示フィールドがあり、前記第４の指示フィールドは、前記共有チャネル中前記第３の指示フィールドの有無を示し、前記基地局は、前記第３の指示フィールドの有無を判断し、前記第４の指示フィールドによって端末に通知する。このようにして、端末は、第４の指示フィールド内の情報に基づいて前記第３の指示フィールドの有無を判断する。
【０１９３】
さらに、前記端末がダウンリンク制御チャネルに前記第３の指示フィールドがあると判断すれば、前記基地局は、次のように、第３の指示フィールドにより多くのビットの指示情報があるかどうかを判断する：前記第３の指示フィールドに少なくとも１ビットの指示情報が含まれ、前記１ビットの指示情報は、前記第３の指示フィールドにより多くのビットの指示情報が含まれるかどうかを示し、前記基地局は、前記第３の指示フィールドにより多くのビットの指示情報が含まれるかどうかを決定して、前記１ビットの指示情報により端末に通知する。
【０１９４】
本発明の実施形態では、基地局は、ダウンリンク制御チャネルを端末に送信し、ダウンリンク制御チャネルは、再送信されたデータパケットを示す指示情報を含み、第１の指示フィールド、第２の指示フィールド、第３の指示フィールド、第４の指示フィールドのうちの少なくとも１つをさらに含むこともできる。これにより、端末は、受信したダウンリンク制御チャネルに基づいて、再送信されたデータパケットの、Ｎ回送信されたデータの中に破損データがあるかどうかを判断することができ、さらに、例えば、Ｎ回送信されたデータの中から破損したデータをクリアするなどの後続の動作を決定できる。端末が、本実施形態による基地局から端末へ送信されたダウンリンク制御チャネルに基づいて、Ｎ回送信されたデータのうち、破損されたたデータがあるかどうかを判断することは、第１の実施形態で詳細に説明されているので、その繰り返しの説明は省略する。
【０１９５】
上記の実施形態は、ダウンリンク送信およびアップリンク送信の両方に適用可能であることに留意されたい。
【０１９６】
図５は本発明の実施形態に係る端末の概略構造図である。
【０１９７】
同じ発明思想に基づいて、本発明の実施形態は、上記方法を実行するための端末を提供する。そして、図５に示されるように、端末５００は、受信ユニット５０１と、処理ユニット５０２とを含む。
【０１９８】
受信ユニット５０１は、再送信をスケジューリングするためのダウンリンク制御チャネルを受信する。
【０１９９】
処理ユニット５０２は、前記ダウンリンク制御チャネルに基づいて、前記ダウンリンク制御チャネルによってスケジューリングされた再送信されたデータパケットの、Ｎ回送信されたデータの中に破損データがあるかどうかを判断し、前記Ｎは１以上の整数である。
任意の選択で、前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示す。
【０２００】
任意の選択で、前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効である。
【０２０１】
任意の選択で、前記処理ユニット５０２は、次のように、前記ダウンリンク制御チャネルが再送信をスケジューリングするためのダウンリンク制御チャネルであるかどうかを判断する：前記ダウンリンク制御チャネルに使用されるダウンリンク制御情報ＤＣＩフォーマットに基づいて決定し、または、前記ダウンリンク制御チャネルに使用される無線ネットワーク一時的識別子（ＲＮＴＩ）に基づいて決定し、または、前記ダウンリンク制御チャネル内のハイブリッド自動再送要求（ＨＡＲＱ）プロセス番号および新しいデータ指示フィールドに基づいて決定し、または、前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定する。
【０２０２】
任意の選択で、前記処理ユニット５０２は、前記ダウンリンク制御チャネルに基づいて、以下の少なくとも１つの方式で、前記ダウンリンク制御チャネルによってスケジューリングされた再送信されたデータパケットの、Ｎ回送信されたデータの中に破損データがあるかどうかを判断する：
【０２０３】
方式１：前記端末が、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを受信すると、前記ダウンリンク制御チャネルによってスケジューリングされた再送信されたデータパケットのＮ回の送信されたデータの中に破損されたデータがあると決定する。
【０２０４】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示す。
【０２０５】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示す。
【０２０６】
方式４：前記受信ユニット５０１により前記ダウンリンク制御チャネルによってスケジューリングされた共有チャネルを受信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【０２０７】
任意の選択で、前記方式１または前記方式２で前記ダウンリンク制御チャネルによってスケジューリングされた再送信されたデータパケットのＮ回の送信されたデータの中に破損されたデータがあると決定する場合、前記処理ユニット５０２は、さらに、前記ダウンリンク制御チャネルに前記第１の指示フィールドが含まれると、前記ダウンリンク制御チャネル内の前記第１の指示フィールドによって示される再送信されたＣＢＧのＮ回の送信されたデータの中に破損されたデータがあると決定する。
【０２０８】
任意の選択で、前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。
【０２０９】
任意の選択で、前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示す。
【０２１０】
任意の選択で、前記第３の指示フィールド、および前記共有チャネルで運ばれる再送信情報は、別々にエンコードされ、および/または、前記第３の指示フィールドは、前記共有チャネルで運ばれるＣＢＧの１つの固定のＣＢＧに対応するリソースにおいて、パンクチャリングまたはレートマッチング方式で伝送される。
【０２１１】
任意の選択で、前記方式４を使用する場合、前記処理ユニット５０２は、さらに、次のように、前記第３の指示フィールドの有無を判断する：前記共有チャネルが再送信を行うと判断すると、前記第３の指示フィールド「有」と判断し、または、前記ダウンリンク制御チャネルに少なくとも１ビットの第４の指示フィールドがあり、前記第４の指示フィールドは、前記共有チャネル中前記第３の指示フィールドの有無を示し、前記端末が前記第３の指示フィールド有と決定すると、次のように、前記第３の指示フィールドにより多くのビットの指示情報が含まれるかを判断し、前記第３の指示フィールドに少なくとも１ビットの指示情報が含まれ、前記１ビットの指示情報は、前記第３の指示フィールドにより多くのビットの指示情報が含まれるかどうかを示す。
【０２１２】
任意の選択で、前記処理ユニット５０２は、破損されたデータがあると決定されると、保存された前記再送信しようとするデータパケットのＮ回の送信されたデータ中の破損されたデータをクリアし、または前記再送信されたデータパケット内の対応のデータで前記再送信しようとするデータパケットのＮ回の送信されたデータ中の破損されたデータをカバーする。
【０２１３】
上記の説明から明らかなように、端末は、基地局からの、再送信をスケジューリングするためのダウンリンク制御チャネルを受信し、ダウンリンク制御チャネルに基づいてダウンリンク制御チャネルによってスケジューリングされた再送信されたデータパケットの、Ｎ回送信されたデータの中に破損データがあるかどうかを判断し、伝送性能を改善する。
【０２１４】
図６は本発明の実施形態に係る基地局の概略構造図である。
【０２１５】
同じ発明の思想に基づいて、本発明の実施形態は、上記方法を実行するための基地局を提供する。図６に示すように、当該基地局６００は、送信ユニット６０１と、処理ユニット６０２とを備える。
【０２１６】
送信ユニット６０１は、再送信をスケジューリングするためのダウンリンク制御チャネルを送信する。
【０２１７】
処理ユニット６０２は、前記ダウンリンク制御チャネルを介して、端末に、前記ダウンリンク制御チャネルによってスケジューリングされた再送信されたデータパケットの、Ｎ回送信されたデータの中に破損データがあるかどうかを、通知し、前記Ｎは１以上の整数である。
【０２１８】
任意の選択で、前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示す。
【０２１９】
任意の選択で、前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効である。
【０２２０】
任意の選択で、前記処理ユニット６０２は、次のように、前記ダウンリンク制御チャネルが再送信をスケジューリングするためのダウンリンク制御チャネルであるかどうかを判断する：前記ダウンリンク制御チャネルに使用されるダウンリンク制御情報ＤＣＩフォーマットに基づいて決定し、または、前記ダウンリンク制御チャネルに使用される無線ネットワーク一時的識別子（ＲＮＴＩ）に基づいて決定し、または、前記ダウンリンク制御チャネル内のハイブリッド自動再送要求（ＨＡＲＱ）プロセス番号および新しいデータ指示フィールドに基づいて決定し、または、前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定する。
【０２２１】
任意の選択で、前記処理ユニット６０２は、前記ダウンリンク制御チャネルを介して、次の方式のうちの少なくとも１つで、前記端末に、前記ダウンリンク制御チャネルによってスケジューリングされた再送信されたデータパケットの、Ｎ回送信されたデータの中に破損データがあるかどうかを通知する：
【０２２２】
方式１：前記送信ユニット６０１が、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを送信したとき、前記処理ユニット６０２は、前記端末に、前記ダウンリンク制御チャネルによってスケジューリングされた再送信されたデータパケットのＮ回の送信されたデータの中に破損されたデータがあると通知する。
【０２２３】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
【０２２４】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
【０２２５】
方式４：前記送信ユニット６０１により前記ダウンリンク制御チャネルによってスケジューリングされた共有チャネルを送信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【０２２６】
任意の選択で、前記方式１または前記方式２で前記ダウンリンク制御チャネルによってスケジューリングされた再送信されたデータパケットのＮ回の送信されたデータの中に破損されたデータがあると決定する場合、前記処理ユニット６０２は、さらに、前記ダウンリンク制御チャネルに前記第１の指示フィールドが含まれると、前記端末に、前記ダウンリンク制御チャネル内の前記第１の指示フィールドによって示される再送信されたＣＢＧのＮ回の送信されたデータの中に破損されたデータがあると決定したことを通知する。
【０２２７】
任意の選択で、前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。
【０２２８】
任意の選択で、前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示す。
【０２２９】
任意の選択で、前記第３の指示フィールド、および前記共有チャネルで運ばれる再送信情報は、別々にエンコードされ、および/または、前記第３の指示フィールドは、前記共有チャネルで運ばれるＣＢＧの１つの固定のＣＢＧに対応するリソースにおいて、パンクチャリングまたはレートマッチング方式で伝送される。
【０２３０】
任意の選択で、前記方式４を使用する場合、前記処理ユニット６０２は、さらに、次のように、前記第３の指示フィールドの有無を判断する：前記共有チャネルが再送信を行うと判断すると、前記第３の指示フィールド「有」と判断し、または、前記ダウンリンク制御チャネルに少なくとも１ビットの第４の指示フィールドがあり、前記第４の指示フィールドは、前記共有チャネル中前記第３の指示フィールドの有無を示し、前記処理ユニット６０２前記第３の指示フィールドの有無を判断して、前記第４の指示フィールドにより端末に通知し、前記処理ユニット６０２が前記第３の指示フィールド「有」と判断し、次のように、前記第３の指示フィールドにより多くのビットの指示情報が含まれるかを判断し、前記第３の指示フィールドに少なくとも１ビットの指示情報が含まれ、前記１ビットの指示情報は、前記第３の指示フィールドにより多くのビットの指示情報が含まれるかどうかを示し、前記処理ユニット６０２は、前記第３の指示フィールドにより多くのビットの指示情報が含まれるかどうかを判断して前記１ビットの指示情報により端末に通知する。
【０２３１】
図７に示すように、本発明の実施形態に係る端末は、プロセッサ７００と、メモリ７０１と、送受信機７０２とを備える。
【０２３２】
プロセッサ７００は、バスアーキテクチャの管理及び通常の処理を担当し、メモリ７０１はプロセッサ２０００が動作する際に利用するデータを記憶することができる。送受信機７０２はプロセッサ７００の制御下でデータを送受信する。
【０２３３】
バスアーキテクチャは、いずれ数の相互接続するバス及びブリッジを備える。具体的に、プロセッサ７００が代表となる１つまたは複数のプロセッサ及びメモリ７０１が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ７００は、バスアーキテクチャの管理及び通常の処理を担当し、メモリ７０１はプロセッサ７００が動作する際に利用するデータを記憶することができる。
【０２３４】
本発明の実施形態によるフローは、プロセッサ７００に適用可能であるか、またはプロセッサ７００によって実行されることができる。実施において、フローの各ステップは、プロセッサ７００ハードウェアの集積論理回路、ソフトウェア形式の命令によって完了することができる。プロセッサ７００は、汎用プロセッサ、デジタル信号プロセッサ、特定用途向け集積回路、フィールドプログラマブルゲートアレイ、または別のプログラマブルロジックデバイス、ディスクリートゲート、トランジスタロジックデバイス、またはディスクリートであり得る。本発明の実施形態で開示されるそれぞれの方法、ステップ、および論理ブロック図は、実施または実行することができる。汎用プロセッサは、マイクロプロセッサ、または任意の従来のプロセッサなどとすることができる。本発明の実施形態による方法のステップは、ハードウェアプロセッサによって直接実行するか、ハードウェアとソフトウェアの組み合わせによって実行することができる。ソフトウェアモジュールは、ランダムメモリ、フラッシュメモリ、読み取り専用メモリ、プログラム可能な読み取り専用メモリ、電気的に消去およびプログラム可能なメモリ、レジスタ、または当技術分野で知られている別の記憶媒体に配置することができる。記憶媒体はメモリ７０１に配置され、プロセッサ７００はメモリ７００内の情報を読み取り、そのハードウェアでフローのステップを実行する。
【０２３５】
ここで、プロセッサ７００は、メモリ７０１プログラムを読み出し、以下の動作を実行する：
【０２３６】
基地局からの、再送信をスケジューリングするためのダウンリンク制御チャネルを受信する。前記ダウンリンク制御チャネルに基づいて、前記ダウンリンク制御チャネルによってスケジューリングされた再送信されたデータパケットの、Ｎ回送信されたデータの中に破損データがあるかどうかを判断し、前記Ｎは１以上の整数である。
【０２３７】
任意の選択で、前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示す。
【０２３８】
任意の選択で、前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効である。
【０２３９】
任意の選択で、前記プロセッサ７００は、
次のように、前記ダウンリンク制御チャネルが再送信をスケジューリングするためのダウンリンク制御チャネルであるかどうかを判断する：
【０２４０】
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定する。
【０２４１】
任意の選択で、前記プロセッサ７００は、
前記ダウンリンク制御チャネルに基づいて、以下の少なくとも１つの方式で、前記ダウンリンク制御チャネルによってスケジューリングされた再送信されたデータパケットの、Ｎ回送信されたデータの中に破損データがあるかどうかを判断する：
【０２４２】
方式１：前記端末が、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを受信すると、前記ダウンリンク制御チャネルによってスケジューリングされた再送信されたデータパケットのＮ回の送信されたデータの中に破損されたデータがあると決定し、
【０２４３】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
【０２４４】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
【０２４５】
方式４：前記受信ユニットによって前記ダウンリンク制御チャネルによってスケジューリングされた共有チャネルを受信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【０２４６】
任意の選択で、前記方式１または前記方式２で前記ダウンリンク制御チャネルによってスケジューリングされた再送信されたデータパケットのＮ回の送信されたデータの中に破損されたデータがあると決定する場合、前記プロセッサ７００は、さらに、
前記ダウンリンク制御チャネルに前記第１の指示フィールドが含まれると、前記ダウンリンク制御チャネル内の前記第１の指示フィールドによって示される再送信されたＣＢＧのＮ回の送信されたデータの中に破損されたデータがあると決定する。
【０２４７】
任意の選択で、前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。
【０２４８】
任意の選択で、前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示す。
【０２４９】
任意の選択で、前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送される。
【０２５０】
任意の選択で、前記方式４を使用する場合、前記プロセッサ７００は、さらに、次のように、前記第３の指示フィールドの有無を判断する：
【０２５１】
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、
前記端末が前記第３の指示フィールド有と決定すると、次のように、前記第３の指示フィールドにより多くのビットの指示情報が含まれるかを判断し、 
前記第３の指示フィールドに少なくとも１ビットの指示情報が含まれ、前記１ビットの指示情報は、前記第３の指示フィールドにより多くのビットの指示情報が含まれるかどうかを示す。
【０２５２】
任意の選択で、前記プロセッサ７００は、
破損されたデータがあると決定されると、保存された前記再送信しようとするデータパケットのＮ回の送信されたデータ中の破損されたデータをクリアし、または前記再送信されたデータパケット内の対応のデータで前記再送信しようとするデータパケットのＮ回の送信されたデータ中の破損されたデータをカバーする。
【０２５３】
図８に示すように、本発明の実施形態に係る基地局は、プロセッサ８００と、メモリ８０１と、送受信機８０２とを備える。
【０２５４】
プロセッサ８００は、バスアーキテクチャの管理及び通常の処理を担当し、メモリ８０１はプロセッサ２０００が動作する際に利用するデータを記憶することができる。送受信機８０２はプロセッサ８００の制御下でデータを送受信する。
【０２５５】
バスアーキテクチャは、いずれ数の相互接続するバス及びブリッジを備える。具体的に、プロセッサ８００が代表となる１つまたは複数のプロセッサ及びメモリ８０１が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。プロセッサ８００は、バスアーキテクチャの管理及び通常の処理を担当し、メモリ８０１はプロセッサ８００が動作する際に利用するデータを記憶することができる。
【０２５６】
本発明の実施形態によるフローは、プロセッサ８００に適用可能であるか、またはプロセッサ８００によって実行されることができる。実施において、フローの各ステップは、プロセッサ８００ハードウェアの集積論理回路、ソフトウェア形式の命令によって完了することができる。プロセッサ８００は、汎用プロセッサ、デジタル信号プロセッサ、特定用途向け集積回路、フィールドプログラマブルゲートアレイ、または別のプログラマブルロジックデバイス、ディスクリートゲート、トランジスタロジックデバイス、またはディスクリートであり得る。本発明の実施形態で開示されるそれぞれの方法、ステップ、および論理ブロック図は、実施または実行することができる。汎用プロセッサは、マイクロプロセッサ、または任意の従来のプロセッサなどとすることができる。本発明の実施形態による方法のステップは、ハードウェアプロセッサによって直接実行するか、ハードウェアとソフトウェアの組み合わせによって実行することができる。ソフトウェアモジュールは、ランダムメモリ、フラッシュメモリ、読み取り専用メモリ、プログラム可能な読み取り専用メモリ、電気的に消去およびプログラム可能なメモリ、レジスタ、または当技術分野で知られている別の記憶媒体に配置することができる。記憶媒体はメモリ８０１に配置され、プロセッサ８００はメモリ８００内の情報を読み取り、そのハードウェアでフローのステップを実行する。
【０２５７】
ここで、プロセッサ８００は、メモリ８０１プログラムを読み出し、以下の動作を実行する：
【０２５８】
端末に再送信をスケジューリングするためのダウンリンク制御チャネルを送信し、前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知し、前記Ｎは１以上の整数である。
【０２５９】
任意の選択で、前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示す。
【０２６０】
任意の選択で、前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効である。
【０２６１】
任意の選択で、前記プロセッサ８００は、
次のように、前記ダウンリンク制御チャネルが再送信をスケジューリングするためのダウンリンク制御チャネルであるかどうかを判断する：
【０２６２】
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定する。
【０２６３】
任意の選択で、前記プロセッサ８００は、
前記ダウンリンク制御チャネルを介して、次の方式のうちの少なくとも１つで、前記端末に、前記ダウンリンク制御チャネルによってスケジューリングされた再送信されたデータパケットの、Ｎ回送信されたデータの中に破損データがあるかどうかを通知する：
【０２６４】
方式１：前記送信ユニットが前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを送信したとき、前記処理ユニットは、前記端末に前記ダウンリンク制御チャネルによってスケジューリングされた再送信されたデータパケットのＮ回の送信されたデータの中に破損されたデータがあると決定したことを通知し、
【０２６５】
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
【０２６６】
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、
【０２６７】
方式４：前記送信ユニットにより前記ダウンリンク制御チャネルによってスケジューリングされた共有チャネルを送信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示す。
【０２６８】
任意の選択で、前記方式１または前記方式２で前記ダウンリンク制御チャネルによってスケジューリングされた再送信されたデータパケットのＮ回の送信されたデータの中に破損されたデータがあると決定する場合、前記プロセッサは、さらに、前記ダウンリンク制御チャネルに前記第１の指示フィールドが含まれると、前記端末に、前記ダウンリンク制御チャネル内の前記第１の指示フィールドによって示される再送信されたＣＢＧのＮ回の送信されたデータの中に破損されたデータがあると決定したことを通知する。
【０２６９】
任意の選択で、前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効である。
【０２７０】
任意の選択で、前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示す。
【０２７１】
任意の選択で、前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送される。
【０２７２】
任意の選択で、前記方式４を使用する場合、前記プロセッサ８００は、さらに、
次のように、前記第３の指示フィールドの有無を判断する：
【０２７３】
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、前記処理ユニットは、前記第３の指示フィールドの有無を判断して、前記第４の指示フィールドにより端末に通知し、
前記処理ユニットが前記第３の指示フィールド「有」と判断すれば、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示し、前記処理ユニットは、前記第３の指示フィールドにより多くのビットの指示情報が含まれるかどうかを判断し、前記１ビットの指示情報により端末に通知する。
【０２７４】
本発明の実施形態は、コンピュータ装置ス上で実行されると、コンピューティングデバイスに上記の端末の動作を実行させるように構成されたプログラムコードを含む不揮発性記憶媒体である可読記憶媒体を提供する。
【０２７５】
本発明の実施形態は、コンピュータ装置上で実行されると、コンピューティングデバイスに上記基地局の動作を実行させるように構成されたプログラムコードを含む不揮発性記憶媒体である可読記憶媒体を提供する。
【０２７６】
上記の説明から明らかなように、基地局は、ダウンリンク制御チャネルを端末に送信し、その結果、端末は、ダウンリンク制御チャネルダウンリンクに基づいて制御チャネルによってスケジューリングされた再送信されたデータパケットの、Ｎ回送信されたデータの中に破損データがあるかどうかを判断し、伝送性能を改善する。
【０２７７】
本分野の技術者として、本発明の実施形態が、方法、システムまたはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０２７８】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、または他のプログラム可能なデータ処理装置設備の処理装置器に提供でき、コンピュータまたは他のプログラム可能なデータ処理装置のプロセッサは、これらのコンピュータプログラム指令を実行し、フロー図における一つまたは複数のフローおよび／またはブロック図における一つまたは複数のブロックに指定する機能を実現する。
【０２７９】
これらのコンピュータプログラム指令は又、コンピュータまたは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つまたは複数のフローおよび／またはブロック図における一つまたは複数のブロックに指定する機能を実現する。
【０２８０】
これらコンピュータプログラム指令はさらに、コンピュータまたは他のプログラム可能なデータ処理装置設備に実装もできる。コンピュータプログラム指令が実装されたコンピュータまたは他のプログラム可能設備は、一連の操作ステップを実行することによって、関連の処理を実現し、コンピュータまたは他のプログラム可能な設備において実行される指令によって、フロー図における一つまたは複数のフローおよび／またはブロック図における一つまたは複数のブロックに指定する機能を実現する。
【０２８１】
上述した実施形態に記述された技術的な解決手段を改造し、またはその中の一部の技術要素を置換することもできる。そのような、改造と置換は本発明の各実施形態の技術の範囲から逸脱するとは見なされない。
【０２８２】
無論、当業者によって、上述した実施形態に記述された技術的な解決手段を改造し、またはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０２８３】
500  端末
501  受信ユニット
502  処理ユニット
600  基地局
601  送信ユニット
602  処理ユニット
700  プロセッサ
701  メモリ
702  送受信機
800  プロセッサ
801  メモリ
802  送受信機
【図１】
2020519178.tif 000003
【図２】
2020519178.tif 000004
【図３】
2020519178.tif 000005
【図４】
2020519178.tif 000006
【図５】
2020519178.tif 000007
【図６】
2020519178.tif 000008
【図７】
2020519178.tif 000009
【図８】
2020519178.tif 000010
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
端末は、基地局から再送信をスケジューリングするためのダウンリンク制御チャネルを受信し、
前記端末は、前記ダウンリンク制御チャネルに基づいて、前記ダウンリンク制御チャネルによってスケジューリングされた再送信されたデータパケットの、Ｎ回送信されたデータの中に破損データがあるかどうかを判断し、前記Ｎは１以上の整数であることを特徴とするデータが破損しているかどうかを判断するための方法。
【請求項２】
前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示し、
前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効であることを特徴とする請求項１に記載のデータが破損しているかどうかを判断するための方法。
【請求項３】
前記端末は、以下のように、前記ダウンリンク制御チャネルが再送信をスケジューリングするためのダウンリンク制御チャネルであるかどうかを判断する：
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定することを特徴とする請求項１または請求項２に記載のデータが破損しているかどうかを判断するための方法。
【請求項４】
前記端末は、前記ダウンリンク制御チャネルに基づいて、以下の少なくとも１つの方式で、前記ダウンリンク制御チャネルによってスケジューリングされた再送信されたデータパケットの、Ｎ回送信されたデータの中に破損データがあるかどうかを判断する：
方式１：前記端末が、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを受信すると、前記端末は、前記ダウンリンク制御チャネルによってスケジューリングされた再送信されたデータパケットのＮ回の送信されたデータの中に破損されたデータがあると、判断し、
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、前記Ｍは１以上の整数であり、
方式４：前記端末は、前記ダウンリンク制御チャネルによってスケジューリングされた共有チャネルを受信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示すことを特徴とする請求項１または請求項２に記載のデータが破損しているかどうかを判断するための方法。
【請求項５】
前記方式１または前記方式２で前記ダウンリンク制御チャネルによってスケジューリングされた再送信されたデータパケットのＮ回の送信されたデータの中に破損されたデータがあると決定する場合、さらに、前記ダウンリンク制御チャネルに前記第１の指示フィールドが含まれると、前記端末は、前記ダウンリンク制御チャネル内の前記第１の指示フィールドによって示される再送信されたＣＢＧのＮ回の送信されたデータの中に破損されたデータがあると決定し、
前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効であり、
前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示し、
前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送され、
および/または、
前記方式４を使用する場合、前記端末が前記第３の指示フィールドを取得する前、さらに、
前記端末は、次のように、前記第３の指示フィールドの有無を判断する：
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、
前記端末が前記第３の指示フィールド有と決定すると、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示すことを特徴とする請求項４に記載のデータが破損しているかどうかを判断するための方法。
【請求項６】
前記端末が破損されたデータがあると判断した場合、前記端末は、保存された前記再送信しようとするデータパケットのＮ回の送信されたデータ中の破損されたデータをクリアし、または前記再送信されたデータパケット内の対応のデータで前記再送信しようとするデータパケットのＮ回の送信されたデータ中の破損されたデータをカバーすることを特徴とする請求項１から請求項５のいずれか一項に記載のデータが破損しているかどうかを判断するための方法。
【請求項７】
基地局は、端末に再送信をスケジューリングするためのダウンリンク制御チャネルを送信するステップと、
前記基地局は、前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知するステップとを備え、
前記Ｎは１以上の整数であることを特徴とするデータが破損しているかどうかを判断するための方法。
【請求項８】
前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示し、
前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効であることを特徴とする請求項７に記載のデータが破損しているかどうかを判断するための方法。
【請求項９】
前記ダウンリンク制御チャネルが再送信をスケジューリングするためのダウンリンク制御チャネルであるかどうかを判断する場合、
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定することを特徴とする請求項７または請求項８に記載のデータが破損しているかどうかを判断するための方法。
【請求項１０】
前記基地局は、次の方式のうちの少なくとも１つで、前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知する：
方式１：前記基地局が、前記ダウンリンク制御チャネルによってスケジューリングされた再送信されたデータパケットのＮ回の送信されたデータに対するＡＣＫ/ＮＡＣＫ情報を、フィードバックする前、前記ダウンリンク制御チャネルを送信したとき、前記端末に、前記ダウンリンク制御チャネルによってスケジューリングされた再送信されたデータパケットのＮ回の送信されたデータの中に破損されたデータがあると決定したことを通知し、
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、前記Ｍは１以上の整数であり、
方式４：前記基地局は、前記ダウンリンク制御チャネルによってスケジューリングされた共有チャネルを送信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示すことを特徴とする請求項７または請求項８に記載のデータが破損しているかどうかを判断するための方法。
【請求項１１】
前記方式１または前記方式２で前記ダウンリンク制御チャネルによってスケジューリングされた再送信されたデータパケットのＮ回の送信されたデータの中に破損されたデータがあると決定する場合、さらに、前記ダウンリンク制御チャネルに前記第１の指示フィールドが含まれると、前記端末に、前記ダウンリンク制御チャネル内の前記第１の指示フィールドによって示される再送信されたＣＢＧのＮ回の送信されたデータの中に破損されたデータがあると決定したことを通知し、
前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効であり、
前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示し、
および/または、
前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送され、
および/または、
前記方式４を使用する場合、前記基地局が前記第３の指示フィールドを生成する前に、さらに、
前記基地局は、次のように、前記第３の指示フィールドの有無を判断する：
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、前記基地局は、前記第３の指示フィールドの有無を判断して、前記第４の指示フィールドにより端末に通知し、
前記基地局に前記第３の指示フィールドがあれば、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示し、前記基地局は、前記第３の指示フィールドにより多くのビットの指示情報が含まれるかどうかを決定して、前記１ビットの指示情報により端末に通知することを特徴とする請求項１０に記載のデータが破損しているかどうかを判断するための方法。
【請求項１２】
基地局からの、再送信をスケジューリングするためのダウンリンク制御チャネルを受信するための受信ユニットと、
前記ダウンリンク制御チャネルに基づいて、前記ダウンリンク制御チャネルによってスケジューリングされた再送信されたデータパケットの、Ｎ回送信されたデータの中に破損データがあるかどうかを判断するための処理ユニットとを備え、
前記Ｎは１以上の整数であることを特徴とする端末。
【請求項１３】
前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示し、前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効であることを特徴とする請求項１２に記載の端末。
【請求項１４】
前記処理ユニットは、
次のように、前記ダウンリンク制御チャネルが再送信をスケジューリングするためのダウンリンク制御チャネルであるかどうかを判断する：
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定することを特徴とする請求項１２または請求項１３に記載の端末。
【請求項１５】
前記処理ユニットは、
前記ダウンリンク制御チャネルに基づいて、以下の少なくとも１つの方式で、前記ダウンリンク制御チャネルによってスケジューリングされた再送信されたデータパケットの、Ｎ回送信されたデータの中に破損データがあるかどうかを判断する：
方式１：前記端末が、前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを受信すると、前記ダウンリンク制御チャネルによってスケジューリングされた再送信されたデータパケットのＮ回の送信されたデータの中に破損されたデータがあると決定し、
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、前記Ｍは１以上の整数であり、
方式４：前記受信ユニットによって前記ダウンリンク制御チャネルによってスケジューリングされた共有チャネルを受信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示すことを特徴とする請求項１２または請求項１３に記載の端末。
【請求項１６】
前記方式１または前記方式２で前記ダウンリンク制御チャネルによってスケジューリングされた再送信されたデータパケットのＮ回の送信されたデータの中に破損されたデータがあると決定する場合、前記処理ユニットは、さらに、
前記ダウンリンク制御チャネルに前記第１の指示フィールドが含まれると、前記ダウンリンク制御チャネル内の前記第１の指示フィールドによって示される再送信されたＣＢＧのＮ回の送信されたデータの中に破損されたデータがあると決定し、
前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効であり、
前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示し、
および/または、
前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送され、
および/または、
前記方式４を使用する場合、前記処理ユニットは、さらに、
次のように、前記第３の指示フィールドの有無を判断する：
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、
前記端末が前記第３の指示フィールド有と決定すると、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示すことを特徴とする請求項１５に記載の端末。
【請求項１７】
前記処理ユニットは、
破損されたデータがあると決定されると、保存された前記再送信しようとするデータパケットのＮ回の送信されたデータ中の破損されたデータをクリアし、または前記再送信されたデータパケット内の対応のデータで前記再送信しようとするデータパケットのＮ回の送信されたデータ中の破損されたデータをカバーすることを特徴とする請求項１２から請求項１６のいずれか一項に記載の端末。
【請求項１８】
端末に、再送信をスケジューリングするためのダウンリンク制御チャネルを送信するための送信ユニットと、
前記ダウンリンク制御チャネルを介して、前記端末に、前記ダウンリンク制御チャネルによってスケジューリングされた再送信されたデータパケットの、Ｎ回送信されたデータの中に破損データがあるかどうかを通知するための処理ユニットとを備え、
前記Ｎは１以上の整数であることを特徴とする基地局。
【請求項１９】
前記ダウンリンク制御チャネルに第１の指示フィールドが含まれ、前記第１の指示フィールドは、最初に送信された１つの伝送ブロック（ＴＢ）が分割されたコードブロックグループ（ＣＢＧ）のうち、どのＣＢＧが前記ダウンリンク制御チャネルによってスケジューリングされた共有チャネルにおいて再送信されるべきかを、示し、
前記第１の指示フィールドは、再送信をスケジューリングするためのダウンリンク制御チャネルにおいてのみ存在するか、または有効であり、または、前記第１の指示フィールドは、端末がＣＢＧでデータを送信するように構成される場合存在するか、有効であり、または、前記第１の指示フィールドは、いずれかのダウンリンク制御チャネルにおいても存在するか、または有効であることを特徴とする請求項１８に記載の基地局。
【請求項２０】
前記処理ユニットは、
次のように、前記ダウンリンク制御チャネルが再送信をスケジューリングするためのダウンリンク制御チャネルであるかどうかを判断する：
前記ダウンリンク制御チャネルに使用されるダウンリンク制御情報ＤＣＩフォーマットに基づいて決定し、または、
前記ダウンリンク制御チャネルに使用される無線ネットワーク一時的識別子（ＲＮＴＩ）に基づいて決定し、または、
前記ダウンリンク制御チャネル内のハイブリッド自動再送要求（ＨＡＲＱ）プロセス番号および新しいデータ指示フィールドに基づいて決定し、または、
前記ダウンリンク制御チャネルに前記第１の指示フィールドが含まれる場合、前記第１の指示フィールドが再送信される少なくとも１つのＣＢＧを示すとき、前記ダウンリンク制御チャネルが再送信のスケジューリングのために用いられると決定することを特徴とする請求項１８または請求項１９に記載の基地局。
【請求項２１】
前記処理ユニットは、
前記ダウンリンク制御チャネルを介して、次の方式のうちの少なくとも１つで、前記端末に、前記ダウンリンク制御チャネルによってスケジューリングされた再送信されたデータパケットの、Ｎ回送信されたデータの中に破損データがあるかどうかを通知する：
方式１：前記送信ユニットが前記ダウンリンク制御チャネルによってスケジューリングされた再送信されたデータパケットのＮ回の送信されたデータに対するＡＣＫ/ＮＡＣＫ情報をフィードバックする前、前記ダウンリンク制御チャネルを送信したとき、前記処理ユニットは、前記端末に前記ダウンリンク制御チャネルによってスケジューリングされた再送信されたデータパケットのＮ回の送信されたデータの中に破損されたデータがあると決定したことを通知し、
方式２：前記ダウンリンク制御チャネルに第２の指示フィールドが含まれ、前記第２の指示フィールドには１ビットの指示情報が含まれ、または前記ダウンリンク制御チャネルによってスケジューリングされた同じ共有チャネルにおいて伝送される各ＴＢの１ビットの指示情報が含まれ、前記第２の指示フィールドは、前記ダウンリンク制御チャネルによってスケジューリングされた再送信されたデータパケットのＮ回の送信されたデータの中に破損されたデータの有無を示し、
方式３：前記ダウンリンク制御チャネルには第２の指示フィールドが含まれ、前記第２の指示フィールドにはＭビットの指示情報が含まれ、または前記ダウンリンク制御チャネルによってスケジューリングされた同じ共有チャネルにおいて伝送される各ＴＢのＭビットの指示情報が含まれ、前記Ｍビットの指示情報内の各１ビットは、１つの最初に送信されたＴＢが分割されたＣＢＧのうちの１つのＣＢＧに対応し、対応するＣＢＧのＮ回送信されたデータの中に破損データがあるかどうかを示し、前記Ｍは１以上の整数であり、
方式４：前記送信ユニットにより前記ダウンリンク制御チャネルによってスケジューリングされた共有チャネルを送信し、前記共有チャネルには第３の指示フィールドが含まれ、前記第３の指示フィールドは、前記ダウンリンク制御チャネルによってスケジューリングされた再送信されたデータパケットのＮ回の送信されたデータの中に破損されたデータの有無を示すことを特徴とする請求項１８または請求項１９に記載の基地局。
【請求項２２】
前記方式１または前記方式２で前記ダウンリンク制御チャネルによってスケジューリングされた再送信されたデータパケットのＮ回の送信されたデータの中に破損されたデータがあると決定する場合、前記処理ユニットは、さらに、前記ダウンリンク制御チャネルに前記第１の指示フィールドが含まれると、前記端末に、前記ダウンリンク制御チャネル内の前記第１の指示フィールドによって示される再送信されたＣＢＧのＮ回の送信されたデータの中に破損されたデータがあると決定したことを通知し、
前記方式２または前記方式３を使用する場合、前記第２の指示フィールドは、再送信をスケジューリングするためのダウンリンク制御チャネルにおいてのみ存在するか、または有効であり、または、前記第２の指示フィールドは、端末がＣＢＧでデータを送信するように構成される場合存在するか、有効であり、または、前記第２の指示フィールドは、いずれかのダウンリンク制御チャネルにおいても存在するか、または有効であり、
前記方式４を使用する場合、前記第３の指示フィールドは、前記ダウンリンク制御チャネルによってスケジューリングされた再送信されたデータパケットの、Ｎ回の送信されたデータの中に破損されたデータの有無を示す場合、
前記第３の指示フィールドは、最初に送信されたＴＢが分割されたＣＢＧの各ＣＢＧのＮ回の送信されたデータの中に破損されたデータの有無を示し、または、前記ダウンリンク制御チャネルによってスケジューリングされた再送信されたＣＢＧのＮ回の送信されたデータの中に破損されたデータの有無を示し、または、前記ダウンリンク制御チャネルによってスケジューリングされた再送信されたＣＢＧに含まれるＣＢのＮ回の送信されたＣＢのうちの、破損されたデータが存在するＣＢを示し、または、前記ダウンリンク制御チャネルによってスケジューリングされた再送信されたＣＢＧのＮ回の送信によって占有されたシンボルのうちの、破損されたデータが存在するシンボルを示し、前記ＣＢＧの最後の送信によって占有されたシンボルのうちの、破損されたデータが存在するシンボルを示し、または、前記ダウンリンク制御チャネルによってスケジューリングされた再送信されたＣＢＧに含まれるＣＢのＮ回の送信によって占有されたシンボルのうちの、破損されたデータが存在するシンボルを示し、
および/または、
前記第３の指示フィールド、および前記共有チャネルで運ばれる再送信情報は、別々にエンコードされ、および/または、
前記第３の指示フィールドは、前記共有チャネルで運ばれるＣＢＧの１つの固定のＣＢＧに対応するリソースにおいて、パンクチャリングまたはレートマッチング方式で伝送され、
および/または、
前記方式４を使用する場合、前記処理ユニットは、さらに、
次のように、前記第３の指示フィールドの有無を判断する：
前記共有チャネルが再送信を行うと判断すると、前記第３の指示フィールド「有」と判断し、または、
前記ダウンリンク制御チャネルに少なくとも１ビットの第４の指示フィールドがあり、前記第４の指示フィールドは、前記共有チャネル中前記第３の指示フィールドの有無を示し、前記処理ユニットは、前記第３の指示フィールドの有無を判断して、前記第４の指示フィールドにより端末に通知し、
前記処理ユニットが前記第３の指示フィールド「有」と判断すれば、次のように、前記第３の指示フィールドにより多くのビットの指示情報が含まれるかを判断し、
前記第３の指示フィールドに少なくとも１ビットの指示情報が含まれ、前記１ビットの指示情報は、前記第３の指示フィールドにより多くのビットの指示情報が含まれるかどうかを示し、前記処理ユニットは、前記第３の指示フィールドにより多くのビットの指示情報が含まれるかどうかを判断し、前記１ビットの指示情報により端末に通知することを特徴とする請求項２１に記載の基地局。
【国際調査報告】
2020519178.tif 000011
2020519178.tif 000012
2020519178.tif 000013
2020519178.tif 000014